(57)【要約】  経皮配管のためのコネクタアセンブリのためのアダプタが提供される。雄アダプタ（図２２Ａ、１０００）は、第１の端部に近位のコネクタフィッティング（１００２）であって、配管システムまたはデバイスのためのコネクタと結合するように構成された、コネクタフィッティングと、第２の端部に近位の雄コネクタ（６５６）と、を含んでいる。雄コネクタは、流体管腔が内部を通して形成されたプラグ端部であって、固定用延長部が溝に受領された際に、雌コネクタが雄コネクタに対して回転し、雄コネクタとの軸方向の係合が維持されることを可能にするように、プラグ端部の外周溝内に受領されるようなサイズになっている雌コネクタの固定用延長部を受領するために、内部に形成された外周溝を有する、プラグ端部を含んでいる。雌コネクタ（図２４、１３００）を有するアダプタも提供される。
2017520332.tif 000002
【特許請求の範囲】
【請求項１】
第１の端部および第２の端部を有する、経皮配管のためのコネクタアセンブリのための雄アダプタであって、
第１の端部に近位のコネクタフィッティングであって、配管システムまたはデバイスのためのコネクタに結合するように構成されたコネクタフィッティングと、
第２の端部に近位の雄コネクタであって、この雄コネクタが、流体管腔が内部を通して形成されたプラグ端部を備え、このプラグ端部が、内部に形成された外周溝であって、固定用延長部が外周溝内に受領された際に、雌コネクタが雄コネクタに対して回転するとともに、雄コネクタとの軸方向の係合を維持することを可能にするように、プラグ端部の外周溝内に受領されるようなサイズになっている雌コネクタの固定用延長部を受領する、外周溝を有する、雄コネクタと、を備えた、雄アダプタ。
【請求項２】
コネクタフィッティングが、標準的なコネクタと結合するように構成された、請求項１に記載の雄アダプタ。
【請求項３】
コネクタフィッティングが、非標準的なコネクタと結合するように構成された、請求項１に記載の雄アダプタ。
【請求項４】
コネクタフィッティングが雌ＥＮＦｉｔコネクタを備えている、請求項１に記載の雄アダプタ。
【請求項５】
コネクタフィッティングがルアーコネクタを備えている、請求項１に記載の雄アダプタ。
【請求項６】
コネクタフィッティングが雌逆ルアーコネクタを備えている、請求項１に記載の雄アダプタ。
【請求項７】
第１の端部と第２の端部との間に配置された外周フランジをさらに備えた、請求項１に記載の雄アダプタ。
【請求項８】
外周フランジが端面視でクローバ形状となっている、請求項７に記載の雄アダプタ。
【請求項９】
第１の端部および第２の端部を有する、経皮配管のためのコネクタアセンブリのための雌アダプタであって、
第１の端部に近位のコネクタフィッティングであって、配管システムまたはデバイスのためのコネクタに結合するように構成されたコネクタフィッティングと、
第２の端部に近位の雌コネクタであって、この雌コネクタが、固定用延長部を有するレバーを備え、この固定用延長部が、雄コネクタの雄プラグ端部内に形成された溝であって、固定用延長部が溝内に受領される際に、雌コネクタが雄コネクタに対して回転するとともに、雄コネクタとの軸方向の係合を維持することを可能にするように、雄コネクタの雄プラグ端部内に形成された溝内に受領されるようなサイズになっている、雌コネクタと、を備えた、雌アダプタ。
【請求項１０】
コネクタフィッティングが、標準的なコネクタと結合するように構成された、請求項９に記載の雌アダプタ。
【請求項１１】
コネクタフィッティングが、非標準的なコネクタと結合するように構成された、請求項９に記載の雌アダプタ。
【請求項１２】
コネクタフィッティングがＥＮＦｉｔコネクタを備えている、請求項９に記載の雌アダプタ。
【請求項１３】
コネクタフィッティングがルアーコネクタを備えている、請求項９に記載の雌アダプタ。
【請求項１４】
コネクタフィッティングが雄逆ルアーコネクタを備えている、請求項９に記載の雌アダプタ。
【請求項１５】
コネクタフィッティングが、雌コネクタに結合する際に、経皮配管システムの内側Ｊチューブを洗浄するための注入器を受領するように構成された、請求項９に記載の雌アダプタ。
【請求項１６】
経皮配管のためのコネクタキットであって、
第１の端部および第２の端部を有する雌コネクタであって、この雌コネクタが、第１の端部に近位の固定用延長部を有するレバーを備え、雌コネクタが、第２の端部に近位の流体源に結合されるように構成された、雌コネクタと、
第１の端部および第２の端部を有する雄アダプタであって、
第１の端部に近位のコネクタフィッティングであって、経皮配管システムのためのコネクタに結合するように構成されたコネクタフィッティングと、
第２の端部に近位の雄コネクタであって、この雄コネクタが、流体管腔が内部を通して形成されたプラグ端部を備え、このプラグ端部が、内部に形成された外周溝であって、固定用延長部が外周溝内に受領された際に、雌コネクタが雄コネクタに対して回転するとともに、雄コネクタとの軸方向の係合を維持することを可能にするように、雌コネクタの固定用延長部を受領する、外周溝を有する、雄コネクタと、
を備えている、雄アダプタと、を備えたコネクタキット。
【請求項１７】
経皮配管のためのコネクタキットであって、経皮配管が外側Ｇチューブおよび内側Ｊチューブを含み、
雄コネクタであって、
内側を形成する側壁、内部に形成された第１の開口を有する第１のシェル端部、および、内部に形成された第２の開口を有する第２のシェル端部を有するシェルであって、第１の開口と第２の開口との各々は、内側と連通して、この内側を通る経皮配管を受領し、シェルはさらに、被係合部分を有している、シェルと、
チューブ管腔が内部を通して形成された第１の本体端部および第２の本体端部を有するコネクタ本体であって、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する、コネクタ本体と、
コネクタ本体に結合されるように構成されたプラグであって、流体管腔が内部を通して形成された第１のプラグ端部および第２のプラグ端部を有し、第１のプラグ端部はそこから延びるプラグチップを有し、チップは内側Ｊチューブと結合するようなサイズになっている、プラグと、
を備えている雄コネクタと、
第１の端部および第２の端部を有する雌アダプタであって、
第１の端部に近位のコネクタフィッティングであって、流体源のためのコネクタに結合するように構成された、コネクタフィッティングと、
第２の端部に近位の雌コネクタであって、この雌コネクタが、固定用延長部を有するレバーを備え、この固定用延長部は、雄コネクタの第２のプラグ端部内に形成された溝であって、固定用延長部が溝内に受領された際に、雌コネクタが雄コネクタに対して回転するとともに、雄コネクタとの軸方向の係合を維持することを可能にするように、雄コネクタの第２のプラグ端部内に形成された溝内に受領されるようなサイズになっている、雌コネクタと、
を備えている雌アダプタと、を備えた、コネクタキット。
【発明の詳細な説明】
【技術分野】
【０００１】
本出願は、２０１４年７月１０日に出願された、国際特許出願第ＰＣＴ／ＵＳ２０１４／０４６２２９号の優先権を主張する。この文献はその全体が、参照することにより本明細書に組み込まれる。
【０００２】
本件の開示の主題は、経皮配管を患者の中に配置するためのシステムおよび技術を含む、搬送チューブアセンブリに関する。
【背景技術】
【０００３】
ある搬送チューブアセンブリが、腸管内および腸管外の適応に関するものを含み、医学技術において知られており、使用されている。たとえば、経皮内視鏡的胃瘻造設術（ＰＥＧ）は、内視鏡による医療処置であり、その中で、チューブ（「ＰＥＧチューブ」または「Ｇチューブ」）が、腹腔壁を通して患者の胃などの胃腸システム内に配置される。ＰＥＧチューブは、口での摂取が適切ではない場合（たとえば、嚥下困難または鎮静状態のために）、患者を治療または栄養を与えるのに利用され得る。ＰＥＧチューブは、たとえば、投薬の有益な吸収が口での投与によっては適切ではない場合などに、チューブを通して投薬を施すのにも利用され得る。配管システムは、たとえば胃をバイパスして空腸に直接投薬を施すために、空腸延長チューブ（「ＰＥＧ−Ｊチューブ」または「Ｊチューブ」）をＰＥＧチューブに通し、幽門を介して空腸に入れることにより、小腸などの胃腸系内にもさらに延長され得る。
【０００４】
ＰＥＧは、腹腔壁に穴を開けることと、瘻孔を形成することと、この瘻孔を通して胃の中にＧチューブを供給することと、を伴い得る。Ｊチューブは、Ｇチューブを通して、空腸内に胃および十二指腸を通して供給され得る。内側バンパは、たとえばＧチューブが瘻孔から外に移動するのを防止するか妨げるために、胃の内側に配置し、Ｇチューブ周りに取り付けることができる。
【０００５】
配管システムは、たとえば瘻孔を保護し、瘻孔を出るＧチューブおよびＪチューブをガイドするために、Ｇチューブに固定され、瘻孔に近い肌に、またはこの肌の近くに配置された外側バンパを含み得る。外側バンパは、ＧチューブおよびＪチューブの外側部分が瘻孔を通って胃の中に移動するのを防止するか妨げることもできる。追加的または代替的に、配管システムは、たとえば、食物または薬物搬送デバイスなどの外部デバイスへのＧチューブおよびＪチューブの取付けを容易にするために、ＧチューブおよびＪチューブの外側部分の端部に取り付けられた患者側のコネクタを含み得る。患者側のコネクタは、各チューブを別々に洗浄することを含め、ＧチューブおよびＪチューブの洗浄を容易にすることもできる。
【０００６】
しかしながら、ＰＥＧ−Ｊ配管システムなどの既知の経皮配管システムのさらなる改善に関する要請が依然として存在している。たとえば、不慮の接続解除および／またはＪチューブの移動を防止するか妨げることもしつつ、外部デバイスへの単純な接続を提供することが、コネクタには望ましい場合がある。また、ＧチューブおよびＪチューブの柔軟な移動および回転を可能にすることが、バンパには望ましい場合がある。たとえば、やはりＧチューブおよびＪチューブが略平坦に、腹腔に対して平行に置かれることを可能にしつつ、適切な瘻孔の治療を促進するために、ＧチューブおよびＪチューブを瘻孔の外で胃に対して略垂直に案内することが、バンパにはさらに望ましい場合がある。これにより、チューブの可視性が低減される場合がある。さらに、たとえば、本明細書に記載の配管システムと、他の配管システムまたはデバイスとの間の、そのような配管システムまたはデバイスのための従来の接続を含む、接続性を提供するために、配管システムが１つまたは複数のアダプタを含むことが望ましい場合がある。開示の主題従って配管システムおよび方法により、これらおよび他の利点が提供され得る。
【発明の概要】
【課題を解決するための手段】
【０００７】
開示の主題の目的および利点が、以下の詳細な説明で説明されるとともに、明らかになり、かつ、開示の主題を実施することによって習得される。開示の主題のさらなる利点は、記載の詳細な説明および本件の特許請求の範囲に特に示された方法およびシステムによって、ならびに添付図面から、実現および達成される。
【０００８】
これらおよび他の利点を得るために、開示の主題の目的に従って、実施されるとともに広く記載されるように、開示の主題は、経皮配管のためのコネクタアセンブリのための雄アダプタであって、第１の端部および第２の端部を有し、第１の端部に近位のコネクタフィッティング、および、第２の端部に近位の雄コネクタを概して含む、雄アダプタを含んでいる。コネクタフィッティングは、配管システムまたはデバイスのためのコネクタに結合するように構成されている。雄コネクタは、流体管腔が内部を通して形成されたプラグ端部であって、このプラグ端部が、内部に形成された外周溝であって、固定用延長部が外周溝に受領された際に、雌コネクタが、雄コネクタに対して回転するとともに、雄コネクタとの軸方向の係合が維持されることを可能にするように、プラグ端部の外周溝内に受領されるようなサイズになっている雌コネクタの固定用延長部を受領するための、外周溝を有する、プラグ端部を含んでいる。
【０００９】
さらに、本明細書で実施されるように、コネクタフィッティングは、標準的なコネクタと結合するように構成され得る。代替的には、コネクタフィッティングは、非標準的なコネクタに結合するように構成され得る。
【００１０】
さらに、本明細書で実施されるように、コネクタフィッティングは、雌ＥＮＦｉｔコネクタを含み得る。代替的には、コネクタフィッティングは、ルアーコネクタを含み得る。たとえば、本明細書で実施されるように、コネクタフィッティングは、雌逆ルアーコネクタを含み得る。
【００１１】
さらに、本明細書で実施されるように、雄アダプタは、第１の端部と第２の端部との間に配置された外周フランジを含み得る。外周フランジは、クローバ形状とすることができる。
【００１２】
開示の主題の他の態様によれば、経皮配管のためのコネクタアセンブリのための雌アダプタが提供される。雌アダプタは、第１の端部および第２の端部を有し、第１の端部に近位のコネクタフィッティング、および、第２の端部に近位の雌コネクタを概して含んでいる。コネクタフィッティングは、配管システムまたはデバイスのためのコネクタに結合するように構成されている。雌コネクタは、固定用延長部を有するレバーであって、この固定用延長部は、雄コネクタの雄プラグ端部に形成された溝であって、固定用延長部が溝内に受領される際に、雌コネクタが、雄コネクタに対して回転するとともに、雄コネクタとの軸方向の係合を維持することを可能にするように、雄コネクタの雄プラグ端部に形成された溝内に受領されるようなサイズになっている、レバーを含んでいる。
【００１３】
さらに、本明細書で実施されるように、コネクタフィッティングは、標準的なコネクタと結合するように構成され得る。代替的には、コネクタフィッティングは、非標準的なコネクタと結合するように構成され得る。
【００１４】
さらに、本明細書で実施されるように、コネクタフィッティングは、ＥＮＦｉｔコネクタを含み得る。代替的には、コネクタフィッティングは、ルアーコネクタを含み得る。本明細書で実施されるように、コネクタフィッティングは、雄逆ルアーコネクタを含み得る。コネクタフィッティングは、雌コネクタに結合される際に、経皮配管システムの内側Ｊチューブを洗浄するための注入器を受領するように構成され得る。
【００１５】
開示の主題の他の態様によれば、経皮配管のためのコネクタキットが提供される。このキットは概して、雌コネクタと雄アダプタとを含んでいる。雌コネクタは、第１の端部および第２の端部を有し、第１の端部に近位の固定用延長部を有するレバーを含んでいる。雌コネクタは、第２の端部に近位の流体源に結合するように構成されている。雄アダプタは、第１の端部および第２の端部を有し、第１の端部に近位のコネクタフィッティングであって、経皮配管システムのためのコネクタと結合するように構成された、コネクタフィッティングを含んでいる。雄アダプタは、第２の端部に近位の雄コネクタであって、流体管腔が内部を通して形成されたプラグ端部を含む、雄コネクタをも含んでいる。プラグ端部は、内部に形成された外周溝であって、固定用延長部が外周溝に受領された際に、雌コネクタが、雄コネクタに対して回転し、雄コネクタとの軸方向の係合が維持されることを可能にするように、雌コネクタの固定用延長部を受領するために、外周溝を有する。雌コネクタおよび雄アダプタは、本明細書に記載の特徴の任意の組合せを含み得る。
【００１６】
開示の主題の他の態様によれば、経皮配管のためのコネクタキットが提供される。経皮配管は、外側Ｇチューブおよび内側Ｊチューブを含んでいる。このキットは概して、雄コネクタと雌アダプタとを含んでいる。雄コネクタは、内側を形成する側壁、内部に形成された第１の開口を有する第１のシェル端部、および、内部に形成された第２の開口を有する第２のシェル端部を有するシェルであって、第１の開口と第２の開口との各々は、内側と連通して、この内側を通る経皮配管を受領し、シェルはさらに、被係合部分を有している、シェルと、チューブ管腔が内部を通して形成された第１の本体端部および第２の本体端部を有するコネクタ本体であって、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する、コネクタ本体と、コネクタ本体に結合されるように構成されたプラグであって、流体管腔が内部を通して形成された第１のプラグ端部および第２のプラグ端部を有し、第１のプラグ端部はそこから延びるプラグチップを有し、チップは内側Ｊチューブと結合するようなサイズになっている、プラグと、を含んでいる。雌アダプタは、第１の端部および第２の端部を有し、第１の端部に近位のコネクタフィッティングであって、流体源のためのコネクタと結合するように構成された、コネクタフィッティングを含んでいる。雌アダプタは、第２の端部に近位の雌コネクタであって、固定用延長部を有するレバーであって、この固定用延長部は、雄コネクタの第２のプラグ端部に規定された溝であって、固定用延長部が溝内に受領される際に、雌コネクタが、雄コネクタに対して回転するとともに、雄コネクタとの軸方向の係合を維持することを可能にするように、雄コネクタの第２のプラグ端部に形成された溝内に受領されるようなサイズになっている、レバーを備えた、雌コネクタをも含んでいる。雄コネクタおよび雌アダプタは、本明細書に記載の特徴の任意の組合せを含み得る。
【００１７】
上述の概略的な記載と、以下の詳細な説明との両方は、例示的なものであり、請求される開示の主題のさらなる説明を提供することが意図されていることを理解されたい。
【００１８】
本明細書に組み込まれるとともに、本明細書の一部を成す添付図面は、開示の主題を説明し、開示の主題のさらなる理解を促すために含まれる。説明とともに、図面は、開示の主題の原理を説明する役割を果たす。
【図面の簡単な説明】
【００１９】
【図１】開示の主題の例示的実施形態による、例示的雄コネクタアセンブリを含む例示的配管システムの平面図である。
【図２】雌コネクタに結合された雄コネクタアセンブリを有する、図１の例示的配管システムの斜視図である。
【図３Ａ】図１の例示的配管システムの例示的雄コネクタアセンブリの上面斜視図である。
【図３Ｂ】図３Ａの例示的雄コネクタアセンブリの側面図である。
【図３Ｃ】図３Ａの例示的雄コネクタアセンブリの正面図である。
【図３Ｄ】図３Ａの例示的雄コネクタアセンブリの背面図である。
【図４Ａ】図３Ａの例示的雄コネクタアセンブリの分解上面斜視図である。
【図４Ｂ】図３Ａの例示的雄コネクタアセンブリの分解底面斜視図である。
【図４Ｃ】図３Ａの例示的雄コネクタアセンブリの分解側面図である。
【図５】開示の主題に従う例示的シェルを通して挿入された経皮配管の斜視図である。
【図６】開示の主題に従う、Ｊチューブが例示的コネクタ本体を通して挿入され、Ｇチューブが例示的コネクタチップと結合した、図５の経皮配管の斜視図である。
【図７】開示の主題に従う、Ｊチューブが例示的プラグチップと結合し、例示的プラグがコネクタ本体と結合した、図６の経皮配管の斜視図である。
【図８】開示の主題に従う、コネクタ本体がシェルと結合した、図７の経皮配管の斜視図である。
【図９Ａ】図１の例示的配管システムの例示的バンパの斜視図である。
【図９Ｂ】図９Ａの例示的バンパの正面図である。
【図９Ｃ】図９Ａの例示的バンパの底面図である。
【図１０】図９Ａの例示的バンパの分解斜視図である。
【図１１】経皮配管が内部を通して挿入され、フードが開位置にある、図９Ａの例示的バンパの斜視図である。
【図１２】フードが閉位置にある、図９Ａの例示的バンパの斜視図である。
【図１３Ａ】開示の主題の例示的実施形態による、取外し可能なキャップが上に配置された、図１の配管システムの例示的雌コネクタの上面図である。
【図１３Ｂ】図１３Ａの雌コネクタの底面図である。
【図１３Ｃ】図１３Ａの雌コネクタの左側面図である。
【図１３Ｄ】図１３Ａの雌コネクタの右側面図である。
【図１３Ｅ】図１３Ａの雌コネクタの正面図である。
【図１４】図１３Ａの雌コネクタの分解斜視図である。
【図１５】例示的第２のプラグ端部と係合した、図１３Ａの雌コネクタの断面図である。
【図１６Ａ】図１の例示的配管システムの例示的雄コネクタアセンブリの別の実施形態の上面斜視図である。
【図１６Ｂ】図１６Ａの例示的雄コネクタアセンブリの側面図である。
【図１６Ｃ】図１６Ａの例示的雄コネクタアセンブリの正面図である。
【図１６Ｄ】図１６Ａの例示的雄コネクタアセンブリの背面図である。
【図１７Ａ】図１６Ａの例示的雄コネクタアセンブリの分解上面斜視図である。
【図１７Ｂ】図１６Ａの例示的雄コネクタアセンブリの分解底面斜視図である。
【図１７Ｃ】図１６Ａの例示的雄コネクタアセンブリの分解側面図である。
【図１８Ａ】図１の例示的配管システムの例示的バンパの別の実施形態の斜視図である。
【図１８Ｂ】図１８Ａの例示的バンパの正面図である。
【図１８Ｃ】図１８Ａの例示的バンパの底面図である。
【図１９Ａ】図１８Ａの例示的バンパの分解上面斜視図である。
【図１９Ｂ】図１８Ａの例示的バンパの分解底面斜視図である。
【図２０】経皮配管が内部を通して挿入され、フードが第１の位置にある、図１８Ａの例示的バンパの斜視図である。
【図２１】フードが第２の位置にある、図１８Ａの例示的バンパの斜視図である。
【図２２Ａ】開示の主題の例示的実施形態による、図１６Ａの例示的雄コネクタアセンブリに対する例示的雄アダプタの正面斜視図である。
【図２２Ｂ】図２２Ａの例示的雄アダプタの背面斜視図である。
【図２２Ｃ】図２２Ａの例示的雄アダプタの背面図である。
【図２２Ｄ】図２２Ａの例示的雄アダプタの正面図である。
【図２２Ｅ】図２２Ａの例示的雄アダプタの上面図であり、底面図は上面図の鏡像である。
【図２２Ｆ】図２２Ｅに対して９０度回転させた、図２２Ａの例示的雄アダプタの左側面図であり、右側面図は左側面図の鏡像である。
【図２３Ａ】開示の主題の例示的実施形態による、図１６Ａの例示的雄コネクタアセンブリに対する別の例示的雄アダプタの正面斜視図である。
【図２３Ｂ】図２３Ａの例示的雄アダプタの背面斜視図である。
【図２３Ｃ】図２３Ａの例示的雄アダプタの背面図である。
【図２３Ｄ】図２３Ａの例示的雄アダプタの正面図である。
【図２３Ｅ】図２３Ａの例示的雄アダプタの上面図であり、底面図は上面図の鏡像である。
【図２３Ｆ】図２３Ａの例示的雄アダプタの左側面図であり、右側面図は左側面図の鏡像である。
【図２４Ａ】開示の主題の例示的実施形態による、図１３Ａの例示的雌コネクタアセンブリに対する例示的雌アダプタの正面斜視図である。
【図２４Ｂ】図２４Ａの例示的雌アダプタの背面斜視図である。
【図２４Ｃ】図２４Ａの例示的雌アダプタの背面図である。
【図２４Ｄ】図２４Ａの例示的雌アダプタの正面図である。
【図２４Ｅ】図２４Ａの例示的雌アダプタの底面図である。
【図２４Ｆ】図２４Ａの例示的雌アダプタの左側面図であり、右側面図は左側面図の鏡像である。
【図２４Ｇ】図２４Ａの例示的雌アダプタの上面図である。
【図２４Ｈ】図２４Ｇの線Ｈ−Ｈに沿って取られた例示的雌アダプタの断面図である。
【図２５Ａ】開示の主題の例示的実施形態による、図１３Ａの例示的雌コネクタアセンブリに対する例示的雄アダプタの背面斜視図である。
【図２５Ｂ】図２５Ａの例示的雌アダプタの正面斜視図である。
【図２５Ｃ】図２５Ａの例示的雌アダプタの背面図である。
【図２５Ｄ】図２５Ａの例示的雌アダプタの正面図である。
【図２５Ｅ】図２５Ａの例示的雌アダプタの底面図である。
【図２５Ｆ】図２５Ａの例示的雌アダプタの右側面図であり、左側面図は右側面図の鏡像である。
【図２５Ｇ】図２５Ａの例示的雌アダプタの上面図である。
【図２５Ｈ】図２５Ｇの線Ｈ−Ｈに沿って取られた例示的雌アダプタの断面図である。
【発明を実施するための形態】
【００２０】
ここで、開示の主題の様々な例示的実施形態を詳細に参照する。開示の主題の例示的実施形態は、添付図面に図示されている。開示の主題の構造および対応する操作方法、ならびに、開示の主題を使用する処置の方法が、本システムの詳細な説明に関連して記載される。
【００２１】
本明細書に提供される装置および方法は、患者に対し、薬または生物学的薬剤などの様々な適切な治療薬または物質のいずれかを投与するために使用され得る。たとえば、本明細書で実施されるように、配管システムは、配管システムを通して治療薬を搬送するために、ポンプなどの治療薬搬送デバイスに結合され得る。本明細書で使用される場合、「治療薬搬送デバイス」または「搬送デバイス」（本明細書では交換可能に使用される）は概して、配管システムを通して患者への、液体またはゲル状の組成物を含む、治療薬などの流体物質の投薬を施すことが可能であるデバイスを指すものと意図されている。いくつかの実施形態では、流体治療薬には、１つまたは複数の医薬品または生物学的薬剤が含まれ得る。たとえば、限定ではないが、１つのそのような液体治療薬は、レボドパなどの中枢神経系作用薬とすることができる。中枢神経系作用薬は、単独で、または、たとえば限定ではないが、カルビドパなどの脱炭酸酵素抑制剤と組み合わせて投与され得る。
【００２２】
本明細書に開示の主題に従って、Ｇチューブなどの外側チューブおよびＪチューブなどの内側チューブを含む、経皮配管のためのコネクタアセンブリが提供される。コネクタアセンブリは概して、シェル、コネクタ本体、およびプラグを有する、雄コネクタアセンブリを含んでいる。シェルは、内側を形成する側壁、内部に形成された第１の開口を有する第１のシェル端部、および、内部に形成された第２の開口を有する第２のシェル端部を有し、第１の開口と第２の開口との各々は、内側と連通して、この内側を通る経皮配管を受領し、シェルはさらに、被係合部分を有している。コネクタ本体は、チューブ管腔が内部を通して形成された第１の本体端部および第２の本体端部を有し、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する。プラグは、コネクタ本体に結合され、内部を通して流体管腔が形成された、第１のプラグ端部および第２のプラグ端部を有し、第１のプラグ端部はそこから延びるプラグチップを有し、チップは内側Ｊチューブと結合するようなサイズになっている。
【００２３】
同様の参照符号が、別々の図を通して同じまたは機能的に類似の要素を示す添付図面は、様々な実施形態をさらに示し、すべてが開示の主題に従って様々な原理および利点を説明する役割を果たす。説明および図示の目的のために、限定ではないが、開示の主題に従う、配管アセンブリの例示的実施形態および関連する構成要素が図１から図２４Ｈに示されている。本件の開示の主題が治療薬の服薬量を投与するための搬送デバイスを有する配管システムを使用することに関して記載されているが、当業者は、開示の主題は図示の実施形態に限定されず、コネクタアセンブリが、内部を通して任意の適切な物質を搬送するための任意の適切な配管システムの構成要素とすることができることを理解するであろう。さらに、コネクタアセンブリを使用する構成要素および方法は、本明細書に記載または示される例示的実施形態に限定されない。たとえば、本明細書に実施のバンパは、同様の利益および利点のために、他の配管アセンブリとともに使用され得る。同様に、限定ではなく説明の目的で図２２Ａから図２４Ｈに示すように、コネクタアセンブリは、従来のアダプタを含む、他のデバイスコネクタとともに使用するために構成することができ、本明細書のデバイスコネクタとともに使用することに限定されない。
【００２４】
図１の例示的実施形態を参照すると、配管システム１００は、たとえば図５に示すように、外側Ｇチューブ１１２および、その内部を通って延びる内側Ｊチューブ１１４を有する経皮配管１１０を含んでいる。図１を参照すると、患者の外部の経皮配管１１０の端部は、この端部に結合されたコネクタアセンブリ２００を有し得、このコネクタアセンブリ２００は、たとえば本明細書で実施されるように、雄コネクタアセンブリとして構成され得る。以下にさらに記載するように、本明細書に実施される配管システム１００は、コネクタアセンブリ２００からある距離だけ離間した、経皮配管１１０周りに配置されたバンパ３００を含んでいる。以下にさらに記載するように、コネクタアセンブリ２００は、デバイスコネクタ４００に結合するように構成されている。このデバイスコネクタ４００は、たとえば本明細書で実施されるように、雌コネクタとして構成され得る。デバイスコネクタ４００は、搬送デバイスまたは流体源と結合され、こうして、経皮配管１１０をそのような搬送デバイスまたは流体源に結合する。たとえば、図１に示すように、流体源コネクタ４２０は、配管４１０を介してデバイスコネクタ４００と結合され得る。流体源コネクタ４２０は、たとえば限定ではないが、経口／経腸コネクタ、ルアーコネクタ、または任意の他の液密コネクタとして構成され得、たとえば限定ではないが、経皮配管１１０を通して流体を分配するための注入器４３０などの流体源に結合するために使用され得る。追加的または代替的に、図１に示すように、ポンプデバイス４５０は、配管４１０を介してデバイスコネクタ４００と結合され得、ポンプデバイス４５０は、たとえば限定ではないが、経皮配管１１０を通して流体をポンプで送るために使用され得る。
【００２５】
図２を参照すると、経皮配管１１０は、この経皮配管１１０に結合されたコネクタアセンブリ２００とともに図示されている。コネクタアセンブリ２００は、本明細書に記載のように、任意のデバイスまたは流体源に結合できるデバイスコネクタ４００と一列に結合されている。以下にさらに記載するように、バンパ３００は、瘻孔の近位で、患者の肌上または肌の近くに配置され、経皮配管１１０は、バンパ３００および瘻孔を通って胃の中に延びている。
【００２６】
図３Ａから図４Ｃを参照すると、例示的コネクタアセンブリ２００が示されている。たとえば図４Ａから図４Ｃに示すように、コネクタアセンブリ２００は概して、シェル２１０、コネクタ本体２３０、プラグ２５０、およびクリップ２７０を含んでいる。シェルは、内側を形成する側壁２１２を有している。本明細書で実施されるように、シェルは、第１の開口が内部に形成された第１のシェル端部２１４と、第２の開口が内部に形成された第２のシェル端部２１６とを有している。第１のシェル端部２１４の開口および第２のシェル端部２１６の開口は、その開口を通して経皮配管１１０を受領するために内側と連通している。
【００２７】
図４Ａから図４Ｃを参照すると、シェルは、被係合部分２１８をさらに有している。本明細書で実施されるように、被係合部分２１８はネジで係合するように構成され得る。しかしながら、たとえば限定ではないが、スナップフィット係合、ラッチ係合、または任意の他の適切な係合などの、任意の適切な係合の構成が使用できる。さらに、本明細書で実施されるように、被係合部分２１８はシェル２１０の内側に配置され得る。
【００２８】
さらに、本明細書で実施されるように、シェル２１０の側壁２１２は、内部に形成されたアパーチャ２２０を有し得る。アパーチャ２２０は、側壁２１２を通してシェル２１０の内側へのアクセスを可能にし得る。たとえば、本明細書で実施されるように、アパーチャ２２０は、本明細書にさらに説明されているように、流体が、アパーチャ２２０を通してシェル２１０の内側に選択的にアクセスすることを可能にするように、バルブ２８０、または他の適切な流体調整構成要素を受領するようなサイズとすることができる。
【００２９】
図４Ａから図４Ｃを参照すると、コネクタアセンブリ２００は、コネクタ本体２３０を含んでいる。本明細書で実施されるように、コネクタ本体２３０は、内部を通してチューブ管腔が形成された第１の本体端部２３４および第２の本体端部２３６を形成する側壁２３２を有する。第１の本体端部２３４はコネクタチップ２３７を有している。本明細書で実施されるように、コネクタチップ２３７は、内部を通して内側Ｊチューブ１１４を受領するようなサイズになっている内径を有している。さらに、本明細書で実施されるように、コネクタチップ２３７は、外側Ｇチューブ１１２と結合するようなサイズになっている外径を有している。さらに、いくつかの実施形態では、コネクタチップ２３７にはテーパを付けることができる。代替的には、コネクタチップ２３７は、一様な断面寸法を有し得る。さらにコネクタ本体２３０は、その側壁２３２に形成された凹状部分２３１を含み得る。凹状部分２３１は、たとえば表面の押下げの作用を受けやすい表面積の量を低減することにより、成形性が向上した構造を提供する。
【００３０】
本明細書で実施されるように、コネクタアセンブリ２００は、内部を通してＧチューブ１１２を受領するようなサイズになっているフェルール２３５をも含み得る。さらに、本明細書で実施されるように、コネクタ本体２３０は、コネクタチップ２３７を囲むリム２３９を含み得る。Ｇチューブ１１２はこうして、コネクタチップ２３７とリム２３９との間を、コネクタ本体２３０を通って延びることができる。したがって、フェルール２３５は、コネクタ本体２３０と係合し、コネクタ本体２３０に入るＧチューブ１１２を覆うように、コネクタチップ２３７を覆って配置されるようなサイズとすることができる。この方式で、フェルール２３５は、コネクタチップ２３７と係合するように、径方向にＧチューブ１１２を圧縮することができる。コネクタ本体２３０がシェル２１０に挿入されると、本明細書に記載のように、第１のシェル端部２１４により、Ｇチューブ１１２をコネクタチップ２３７とさらに係合させるように、フェルール２３５をさらに圧縮することができる。
【００３１】
たとえば、本明細書で実施されるように、コネクタ本体２３０は、シェル２１０の被係合部分２１８と係合する係合部分２３８を有している。本明細書で実施されるように、係合部分２３８はネジで係合するように構成され得る。しかしながら、たとえば限定ではないが、スナップフィット係合、ラッチ係合、または任意の他の適切な係合などの、任意の適切な係合の構成が、係合部分２３８がシェル２１０の被係合部分２１８を補完するために使用できる。さらに、本明細書で実施されるように、係合部分２３８は、コネクタチップ２３７からコネクタ本体２３０に沿って内側に離間し得る。
【００３２】
さらに、本明細書で実施されるように、コネクタ本体２３０の側壁２３２は、内部に形成されたアパーチャ２４０を有し得る。アパーチャ２４０により、側壁２３２を通してコネクタ本体２３０の内側へのアクセスを可能にし得る。たとえば、本明細書で実施されるように、アパーチャ２４０は、本明細書にさらに説明されているように、流体が、アパーチャ２４０を通してコネクタ本体２３０の内側に選択的にアクセスすることを可能にするように、バルブ２８０、または他の適切な流体調整構成要素を受領するようなサイズとすることができる。さらに、コネクタ本体２３０は、たとえばバルブ２８０をコネクタ本体２３０と係合させるために、アパーチャ２４０の近位に被係合部分２４２を有し得る。たとえば、本明細書で実施されるように、被係合部分２４２はネジで係合するようにすることができる。しかしながら、たとえば限定ではないが、スナップフィット係合、ラッチ係合、または任意の他の適切な係合などの、任意の適切な係合が使用できる。
【００３３】
さらに、本明細書で実施されるように、第２の本体端部２３６はフランジ２４４を含み得る。このフランジ２４４は、第２の本体端部２３６のアパーチャを囲み、フランジ２４４と側壁２３２との間に溝２４５を形成する。フランジ２４４および溝２４５は、本明細書にさらに記載するように、コネクタ本体２３０のための締結具の一部分を形成することができる。さらに、本明細書で実施されるように、フランジ２４４は、そこから突出する凸部２４６を含み得、この凸部２４６は、本明細書にさらに記載するように、コネクタ本体２３０を、第２の本体端部２３６において取り付けられた構成要素に対する適切な回転整列して固定するために、対応するレセプタクルを合わせることができる。
【００３４】
引き続き図４Ａから図４Ｃを参照すると、本明細書で実施されるように、コネクタアセンブリ２００はプラグ２５０を含んでいる。プラグ２５０は、内部を通して流体管腔が形成された、第１のプラグ端部２５４および第２のプラグ端部２５６を形成するプラグ本体２５２を有している。第１のプラグ端部２５４は、そこから延びるプラグチップ２５７を有している。本明細書で実施されるように、プラグチップ２５７は、内側Ｊチューブ１１４と結合するようなサイズになっている。たとえば、本明細書で実施されるように、プラグチップ２５７により、外径がＪチューブ１１４内にフィットするようなサイズになっている管腔が形成され、また、このプラグチップ２５７は、ステンレススチールチューブまたは成型プラスチックチューブとして形成することができる。第１のプラグ端部２５４は、内部にプラグチップ２５７を受領するようなサイズになっているリム２５９を有し得る。本明細書で実施されるように、コネクタアセンブリ２００は、プラグチップ２５７を受領するようなサイズになっており、コネクタ本体２３０の第２の本体端部２３６内に受領され、この第２の本体端部２３６と係合するフェルール２５５をも含み得る。したがって、フェルール２５５は、コネクタ本体２３０と係合し、コネクタ本体２３０に入るＪチューブ１１４を覆うように、プラグチップ２５７を覆って配置されるようなサイズとすることができる。この方式で、フェルール２５５は、プラグチップ２５７と係合するように、径方向にＪチューブ１１４を圧縮することができる。
【００３５】
さらに、本明細書で実施されるように、第２のプラグ端部２５６はフランジ２６４を含み得る。このフランジ２６４は、第２のプラグ端部２５６のアパーチャを囲み、フランジ２６４と側壁２５２との間に溝２６５を形成する。フランジ２６４および溝２６５は、プラグ２５０をコネクタ本体２３０に締結するための締結具の一部分を形成することができる。たとえば、本明細書で実施されるように、フランジ２６４は、フランジ２４４に類似のサイズにすることができる。さらに、本明細書で実施されるように、フランジ２６４は、コネクタ本体２３０の凸部２４６を受領するように凹部２６６を形成して、プラグ２５０をコネクタ本体２３０に適切な回転整列で係合させることができる。
【００３６】
上述のように、締結具は、コネクタ本体２３０をプラグ２５０に結合するように提供され得る。締結具は、コネクタ本体２３０および／またはプラグ２５０と一体に形成することができる。たとえば、締結具は、ネジ構成、スナップフィットなどとすることができる。図４Ａから図４Ｃを参照すると、本明細書で実施されるように、締結具はクリップ２７０を含み得る。たとえば、クリップ２７０は、プラグ２５０をコネクタ本体２３０に対して固定するために、コネクタ本体２３０の溝２４５内に配置されるように構成されたノッチ２７５ａ、および、プラグ２５０の溝２６５内に配置されるように構成されたノッチ２７５ｂを有し得る。本明細書で実施されるように、クリップ２７０は、２つの半円形クリップ部分２７２、２７４として構成され得る。２つの半円形クリップ部分２７２、２７４は各々が、クリップ２７０を形成するように、溝２４５と、溝２６５との中に配置されるように構成されている。いくつかの実施形態では、２つのクリップ部分２７２、２７４は、各クリップ部分２７２、２７４の端部において、相互にヒンジで結合され得る。代替的に、クリップ２７０は、単一片の構成要素として構成することができる。
【００３７】
さらに、本明細書で実施されるように、第２のプラグ端部２５６は、デバイスコネクタ４００と結合するようにコネクタを形成することができる。第２のプラグ端部２５６は、間に溝２６８を形成するリング部分２６７と円錐台形部分２６９とを含み得る。したがって、溝２６８は、本明細書にさらに説明するように、デバイスコネクタ４００とコネクタアセンブリ２００との間の係合を容易にし得る。さらに、開いたプラグナブ２６３は、間に第２の溝２６１を形成するように、円錐台形部分２６９から延びることができる。第２の溝２６１は、プラグ２５０とデバイスコネクタ４００との間をシールするように、ガスケット２７３を受領するようなサイズとすることができる。
【００３８】
引き続き図４Ａから図４Ｃを参照すると、本明細書で実施されるように、コネクタアセンブリ２００は、アパーチャ２２０および２４０内に配置されるようなサイズになっており、コネクタ本体２３０と連通するバルブ２８０を含み得る。たとえば、本明細書で実施されるように、バルブ２８０は、コネクタ本体２３０の被係合部分２４２と係合する係合部分２８５を有し得る。本明細書で実施されるように、係合部分２８５はネジで係合するように構成され得る。しかしながら、たとえば限定ではないが、スナップフィット係合、ラッチ係合、または任意の他の適切な係合などの、任意の適切な係合の構成が、コネクタ本体２３０の被係合部分２４２を補完するために使用され得る。バルブ２８０は、たとえばバルブ２８０がコネクタ本体２３０に対してグリップされるか、コネクタ本体２３０と係合または係合解除することを可能にするように、たとえば６角形ヘッドまたは任意の他の適切な締結具またはドライバヘッドとして構成され得るグリップ部分２８４を含み得る。図４Ｂを参照すると、バルブ２８０は、フィッティング２８７を受領するためのスロット２８６を含み得る。スロット２８６は、バルブ２８０から延びるとともに、バルブ２８０をコネクタ本体２３０内に固定するために、コネクタ本体２３０内に配置され得る。Ｏリング２８８は、バルブ２８０とコネクタ本体２３０との間を液密にシールするために、係合部分２８５の近位のバルブ２８０周りに配置され得る。追加的または代替的シーリング技術が採用され得る。
【００３９】
さらに、本明細書で実施されるように、バルブ２８０は、流体注入デバイス、たとえば限定ではないが、注入器４３０を受領するための、ポート２８２を含み得る。たとえば限定ではないが、本明細書で実施されるように、ポート２８２は、対応する注入器を受領するための、経口／経腸コネクタ、ルアーコネクタ、または任意の他の適切な液密コネクタとして構成され得る。この方式で、Ｊチューブ１１４をバイパスしつつ、流体がコネクタ本体内にＧチューブ１１２を通して導入され得る。この構成は、たとえば、Ｇチューブ１１２を液体で洗浄するか、Ｇチューブ１１２を通して胃に直接液体を投与するのに利用され得る。
【００４０】
図１６Ａから図１７Ｃを参照すると、例示的コネクタアセンブリ６００の代替的実施形態が示されている。たとえば図１７Ａから図１７Ｃに示すように、コネクタアセンブリ６００は概して、シェル６１０、コネクタ本体６３０、およびプラグ６５０を含んでいる。シェルは、内側を形成する側壁６１２を有している。本明細書で実施されるように、シェルは、第１の開口が内部に形成された第１のシェル端部６１４と、第２の開口が内部に形成された第２のシェル端部６１６とを有している。第１のシェル端部６１４の開口および第２のシェル端部６１６の開口は、その開口を通して経皮配管１１０を受領するために内側と連通している。
【００４１】
図１７Ａから図１７Ｃを参照すると、シェルは、被係合部分６１８をさらに有している。本明細書で実施されるように、被係合部分６１８は直角掛けロックで係合するように構成され得る。しかしながら、たとえば限定ではないが、スナップフィット係合、ネジ係合、ラッチ係合、または任意の他の適切な係合などの、任意の適切な係合の構成が使用され得る。さらに、本明細書で実施されるように、被係合部分６１８はシェル６１０の内側に配置され得る。
【００４２】
さらに、本明細書で実施されるように、シェル６１０の側壁６１２は、内部に形成されたアパーチャ６２０を有し得る。アパーチャ６２０により、側壁６１２を通してシェル６１０の内側へのアクセスを可能にし得る。たとえば、本明細書で実施されるように、アパーチャ６２０は、本明細書にさらに説明されているように、流体が、アパーチャ６２０を通してシェル６１０の内側に選択的にアクセスすることを可能にするように、バルブ６８０、または他の適切な流体調整構成要素を受領するようなサイズとすることができる。
【００４３】
図１７Ａから図１７Ｃを参照すると、コネクタアセンブリ６００は、コネクタ本体６３０を含んでいる。本明細書で実施されるように、コネクタ本体６３０は、内部を通してチューブ管腔が形成された、第１の本体端部６３４および第２の本体端部６３６を形成する側壁６３２を有する。第１の本体端部６３４はコネクタチップ６３７を有している。本明細書で実施されるように、コネクタチップ６３７は、内部を通して内側Ｊチューブ１１４を受領するようなサイズになっている内径を有している。さらに、本明細書で実施されるように、コネクタチップ６３７は、外側Ｇチューブ１１２と結合するようなサイズになっている外径を有している。さらに、いくつかの実施形態では、コネクタチップ６３７にはテーパを付けることができる。代替的には、コネクタチップ６３７は、一様な断面寸法を有し得る。
【００４４】
本明細書で実施されるように、コネクタアセンブリ６００は、内部を通してＧチューブ１１２を受領するようなサイズになっているフェルール６３５をも含み得る。さらに、本明細書で実施されるように、コネクタ本体６３０は、コネクタチップ６３７を囲むリム６３９を含み得る。Ｇチューブ１１２はこうして、コネクタチップ６３７とリム６３９との間を、コネクタ本体６３０を通って延びることができる。したがって、フェルール６３５は、コネクタ本体６３０と係合し、コネクタ本体６３０に入るＧチューブ１１２を覆うように、コネクタチップ６３７を覆って配置されるようなサイズとすることができる。この方式で、フェルール６３５は、コネクタチップ６３７と係合するように、径方向にＧチューブ１１２を圧縮することができる。コネクタ本体６３０がシェル６１０に挿入されると、本明細書に記載のように、第１のシェル端部６１４により、Ｇチューブ１１２をコネクタチップ６３７にさらに係合させるように圧縮するために、フェルール６３５をさらに径方向に圧縮することができる。
【００４５】
たとえば、本明細書で実施されるように、コネクタ本体６３０は、シェル６１０の被係合部分６１８と係合する係合部分６３８を有している。本明細書で実施されるように、係合部分６３８はネジで係合するように構成され得る。しかしながら、たとえば限定ではないが、スナップフィット係合、ラッチ係合、または任意の他の適切な係合などの、任意の適切な係合の構成が、係合部分６３８がシェル６１０の被係合部分６１８を補完するために使用され得る。さらに、本明細書で実施されるように、係合部分６３８は、コネクタチップ６３７からコネクタ本体６３０に沿って内側に離間し得る。
【００４６】
さらに、本明細書で実施されるように、コネクタ本体６３０の側壁６３２は、内部に形成されたアパーチャ６４０を有し得る。アパーチャ６４０は、側壁６３２を通してコネクタ本体６３０の内側へのアクセスを可能にし得る。たとえば、本明細書で実施されるように、アパーチャ６４０は、本明細書にさらに説明されているように、流体が、アパーチャ６４０を通してコネクタ本体６３０の内側に選択的にアクセスすることを可能にするように、バルブ６８０、または他の適切な流体調整構成要素を受領するようなサイズとすることができる。さらに、コネクタ本体６３０がシェル６１０と係合すると、アパーチャ６２０とアパーチャ６４０とが整列し得る。さらに、シェル６１０は、たとえばバルブ６８０をコネクタ本体６３０と流体連通させてシェル６１０と係合させるために、アパーチャ６２０の近位に被係合部分６１７を有し得る。たとえば、本明細書で実施されるように、被係合部分６１７は、直角掛けロック係合を提供するために、バルブ本体６８５および固定用フィンガ６８７に対する鍵状の成型構成要素とすることができる。しかしながら、たとえば限定ではないが、ネジ係合、スナップフィット係合、ラッチ係合、または任意の他の適切な係合などの、任意の適切な係合が使用され得る。
【００４７】
本明細書で実施されるように、コネクタ本体６３０は、第２の本体端部６３６の近位の１つまたは複数のフランジ部分６４６を含み得る。フランジ部分６４６は、コネクタ本体６３０をプラグ６５０に結合するために、プラグ本体６５２の対応する部分と係合するようなサイズにすることができる。追加的または代替的に、本明細書で実施されるように、コネクタ本体６３０は、本明細書にさらに説明されるように、プラグ６５０の１つまたは複数の固定用凸部６７２と係合するようなサイズとすることができる、１つまたは複数の固定表面６７４を含み得る。
【００４８】
引き続き図１７Ａから図１７Ｃを参照すると、本明細書で実施されるように、コネクタアセンブリ６００はプラグ６５０を含んでいる。プラグ６５０は、内部を通して流体管腔が形成された、第１のプラグ端部６５４および第２のプラグ端部６５６を形成するプラグ本体６５２を有している。第１のプラグ端部６５４は、そこから延びるプラグチップ６５７を有している。本明細書で実施されるように、プラグチップ６５７は、内側Ｊチューブ１１４と結合するようなサイズになっている。たとえば、本明細書で実施されるように、プラグチップ６５７により、外径がＪチューブ１１４内にフィットするようなサイズになっている管腔が形成され、また、このプラグチップ６５７は、ステンレススチールチューブまたは成型プラスチックチューブとして形成することができる。第１のプラグ端部６５４は、内部にプラグチップ６５７を受領するようなサイズになっているリム６５９を有し得る。本明細書で実施されるように、コネクタアセンブリ６００は、プラグチップ６５７を受領し、コネクタ本体６３０の第２の本体端部６３６内に受領され、この第２の本体端部６３６と係合するようなサイズになっているフェルール６５５をも含み得る。したがって、フェルール６５５は、コネクタ本体６３０と係合し、コネクタ本体６３０に入るＪチューブ１１４を覆うように、プラグチップ６５７を覆って配置されるようなサイズとすることができる。この方式で、フェルール６５５は、プラグチップ６５７と係合するように、径方向にＪチューブ１１４を圧縮することができる。
【００４９】
さらに、本明細書で実施されるように、第２のプラグ端部６５６はフランジ６６４を含み得る。このフランジ６６４は、第２のプラグ端部６５６のアパーチャを囲み、フランジ６６４から延びる１つまたは複数の固定用凸部６７２を有する。固定用凸部６７２は、内部に形成された１つまたは複数の固定リブ６７５を有し得、プラグ６５０をコネクタ本体６３０に締結するための締結具の一部分を形成することができる。たとえば、本明細書で実施されるように、固定用凸部６７２および固定リブ６７５は、固定表面６７４内に受領され、固定表面６７４と係合するようなサイズとすることができる。さらに、本明細書で実施されるように、フランジ６６４は、コネクタ本体６３０の凸部６４６を受領するように凹部６６６を形成して、プラグ６５０をコネクタ本体６３０に適切な回転整列で係合させることができる。この方式で、締結具は、コネクタ本体６３０を、コネクタ本体６３０および／またはプラグ６５０と一体に形成することができるプラグ６５０に結合するために提供され得る。
【００５０】
さらに、本明細書で実施されるように、第２のプラグ端部６５６は、デバイスコネクタ４００と結合するようにコネクタを形成することができる。第２のプラグ端部６５６は、間に溝６６８を形成するリング部分６６７と円錐台形部分６６９とを含み得る。したがって、溝６６８は、本明細書にさらに説明するように、デバイスコネクタ４００とコネクタアセンブリ２００との間の係合を容易にし得る。さらに、開いたプラグナブ６６３は、間に第２の溝６６１を形成するように、円錐台形部分６６９から延びることができる。第２の溝６６１は、プラグ６５０とデバイスコネクタ４００との間をシールするように、ガスケット６７３を受領するようなサイズとすることができる。
【００５１】
引き続き図１７Ａから図１７Ｃを参照すると、本明細書で実施されるように、コネクタアセンブリ６００は、アパーチャ６２０および６４０内に配置されるようなサイズになっており、コネクタ本体６３０と連通するバルブ６８０を含み得る。たとえば、本明細書で実施されるように、バルブ６８０は、シェル６１０の被係合部分６１７と圧入係合するために、固定用フィンガ６８７を有するバルブ本体６８５を含み得る。しかしながら、たとえば限定ではないが、スナップフィット係合、ラッチ係合、または任意の他の適切な係合などの、任意の適切な係合の構成が、シェル６１０の被係合部分６１７を補完するために使用され得る。追加的または代替的に、本明細書で実施されるように、バルブ６８０は、圧入係合、スナップフィット係合、ラッチ係合、または任意の他の適切な係合でコネクタ本体６３０に係合することができる。図１７Ａを参照すると、バルブ本体６８５は、バルブ６８０とシェル６１０との間に液密シールを提供し得るＯリング６８８を受領するためのスロット６８６を含み得る。追加的または代替的シーリング技術が採用され得る。さらに、本明細書で実施されるように、シェル６１０およびコネクタ本体６３０とのバルブ６８０の係合により、コネクタ本体６３０およびプラグ６５０を少なくとも部分的にシェル６１０内に保持するために、シェル６１０をコネクタ本体６３０に対して固定することができる。
【００５２】
さらに、本明細書で実施されるように、バルブ６８０は、流体注入デバイス、たとえば限定ではないが、注入器４３０を受領するための、ポート６８２を含み得る。たとえば限定ではないが、ポート６８２は、対応する注入器を受領するための、経口／経腸コネクタ、ルアーコネクタ、または任意の他の適切な液密コネクタとして構成され得る。この方式で、Ｊチューブ１１４をバイパスしつつ、流体がポート６８２を通り、ポート６８９を出てシェル６１０およびコネクタ本体６３０内に、Ｇチューブ１１２を通して導入され得る。この構成は、たとえば、Ｇチューブ１１２を液体で洗浄するか、Ｇチューブ１１２を通して胃に直接液体を投与するのに利用され得る。
【００５３】
図１７Ａから図１７Ｃを参照すると、本明細書で実施されるように、固定用ツール６９０は、バルブ６８０をシェル６１０に固定するために使用され得る。固定用ツール６９０は、外周６９３およびノッチ６９１を形成する中空凸部６９６を有し得る。外周６９３とノッチ６９１との各々は、バルブ６８０の頂部に形成された１つまたは複数のスロット６８４に対応し得る。そのように、固定用ツール６９０の凸部６９６は、固定用ツール６９０をバルブ６８０に係合させるように、スロット６８４内に挿入され得、それにより、固定用ツール６９０を回すことにより、バルブ６８０が回転してシェル６１０と係合するようになっている。固定用ツールは、その頂部にグリップ部分６９９を有し得、本明細書で実施されるように、凸部６９６よりも幅広で、略平坦とすることができる。本明細書で実施されるように、固定用ツール６９０は、価値６８０がシェル６１０に固定された後に取り除かれ得る。代替的には、固定用ツール６９０は、スロット６８４内に配置された場合、たとえばポート６８２を覆うとともに、ポート６８２をゴミから保護するのに利用されるように保持され得る。
【００５４】
別の態様によれば、開示の主題は、経皮配管のためのコネクタアセンブリを組み立てる方法を含んでいる。経皮配管は、Ｇチューブなどの外側チューブおよびＪチューブなどの内側チューブを含んでいる。本方法は、内側を形成する側壁、第１の開口が内部に形成された第１のシェル端部、および、第２の開口が内部に形成された第２のシェル端部を有するシェルを提供することと、シェルの第１の開口および第２の開口を通して経皮配管を挿入することと、内部を通してチューブ管腔が形成された、第１の本体端部および第２の本体端部を有するコネクタ本体を提供することであって、第１の本体端部がコネクタチップを有する、提供することと、内側Ｊチューブをコネクタチップ内に、コネクタ本体を通して挿入することと、外側Ｇチューブをコネクタチップと結合させることと、内部を通して流体管腔が形成された、第１のプラグ端部および第２のプラグ端部を有するプラグを提供することであって、第１のプラグ端部が、そこから延びるプラグチップを有する、提供することと、内側Ｊチューブをプラグチップと結合させることと、コネクタ本体をプラグと結合させることと、コネクタ本体をシェルと結合させることと、を含んでいる。
【００５５】
限定ではないが、射出成型、ミリングなどを含む、任意の適切な制作技術が、配管アセンブリおよび関連する構成要素のいずれかを形成するのに使用され得る。配管アセンブリおよび関連する構成要素は、たとえば限定ではないが、熱可塑性樹脂、熱硬化性樹脂、エラストマ、および合成繊維などの弾性ポリマを含む任意の適切な材料で形成され得る。たとえば限定ではないが、本明細書で実施されるように、コネクタおよび構成要素は、射出成型樹脂（たとえば、メタクリル酸メチル、アクリロニトリルブタジエン／スチレン（ＭＡＢＳ））を含み得る。エラストマシールまたはフェルールは、たとえば限定ではないが、シリコンを含み得る。Ｏリングは、たとえば限定ではないが、エチレンプロピレンジエンモノマ（ＥＰＤＭ）、ポリウレタン、ポリテトラフルオロエチレン、シリコン、または任意の他の適切な材料を含み得、また、パリレンコーティングを含み得る。プラグチップおよび／またはバルブは、たとえば限定ではないが、ステンレススチールを含み得る。
【００５６】
コネクタアセンブリ２００を組み立てるための例示的技術が図５から図８に示されている。図５を参照すると、外側Ｇチューブ１１２および内側Ｊチューブ１１４を有する経皮配管１１０が提供されている。経皮配管１１０は、目標位置、たとえば、本明細書で実施されるように、瘻孔から延びる自由端部１１６を有している。たとえば図５に示されているように、経皮配管１１０の自由端部１１６は、経皮配管１１０をシェル２１０の内側を通して延ばすために、第１のシェル端部２１４の開口および第２のシェル端部２１６の開口を通して挿入され得る。
【００５７】
ここで図６を参照するとともに、図４Ａから図４Ｃの分解図を参照すると、内側Ｊチューブ１１４が、第１の本体端部２３４の近位のコネクタチップ２３７内に、コネクタ本体２３０を通して挿入され、第２の本体端部２３６を出ている。外側Ｇチューブ１１２は、たとえば本明細書で実施されるように、コネクタチップ２３７をＧチューブ１１２内に挿入することにより、コネクタチップ２３７と結合されている。
【００５８】
図７を参照するとともに、引き続き図４Ａから図４Ｃの分解図を参照すると、プラグチップ２５７がＪチューブ１１４内に挿入されている。プラグ２５０はコネクタ本体２３０に向かって付勢され得、それにより、コネクタ本体フランジ２４４およびプラグフランジ２６４が、凹部２６６内に受領された突出部２４６と整列するようになっている。クリップ２７０のノッチ２７５ａ、２７５ｂは、プラグ２５０をコネクタ本体２３０に結合するために、コネクタ本体２３０の溝２４５内および、プラグ２５０の溝２６５内に挿入され得る。たとえば、本明細書で実施されるように、リング状クリップ２７０をコネクタ本体２３０のフランジ２４４およびプラグ２５０のフランジ２６４周りに形成するために、第１のクリップ部分２７２のノッチ２７５ａ、２７５ｂは溝２４５、２６５の各々内に挿入され得、第２のフリップ部分２７４のノッチ２７５ａ、２７５ｂは溝２４５、２６５の各々内に挿入され得る。
【００５９】
代替的に、図１７Ａから図１７Ｃの実施形態の分解図を参照すると、プラグ６５０の、固定リブ６７５を有する固定用凸部６７２は、プラグ６５０を、コネクタ本体のフランジ６４６がプラグ６５０の凹部６６６内に配置された状態でコネクタ本体６３０に固定するために、固定表面６７４と係合するようにされ得る。
【００６０】
ここで図８を参照するとともに、図４Ａから図４Ｃの実施形態の分解図を参照すると、プラグ２５０が内部に挿入されたコネクタ本体２３０は、第２のプラグ端部２５６が第２のシェル端部２１６から延びた状態で、シェル２１０の内側に付勢され得る。たとえば、本明細書で実施されるように、シェル２１０をコネクタ本体２３０に対して回転させ、それにより、シェル２１０の被係合部分２１８がコネクタ本体２３０の係合部分２３８と係合するようにすることにより、コネクタ本体２３０、プラグ２５０、およびＪチューブ１１４は、定位置に保持され得、シェル２１０は、コネクタ本体２３０に結合され得る。シェル２１０は、アパーチャ２２０がアパーチャ２４０と整列するように、コネクタ本体２３０に対して回転され得る。バルブ２８０は、アパーチャ２２０を通してアパーチャ２４０内に挿入され得、係合特徴部２８２は、たとえば本明細書で実施されるように、バルブ２８０を回転させてコネクタ本体２３０と係合させることにより、コネクタ本体２３０の係合特徴部２４２に係合し得る。
【００６１】
代替的に、図１７Ａから図１７Ｃの実施形態を参照すると、本明細書に記載されるように、バルブ６８０は、アパーチャ６２０を通してアパーチャ６４０内に挿入され得、固定用フィンガ６８７は、たとえば本明細書で実施されるように、バルブ６８０を回転させてシェル６１０と係合させることにより、シェル６１０の係合特徴部６１７に係合し得る。
【００６２】
図８の構成では、プラグ２５０の第２の端部２５６がＪチューブ１１４と流体連通しており、本明細書にさらに記載されるように、注入器４３０もしくはポンプ４５０、または他の流体源などのデバイスと流体連通させるために、デバイスコネクタ４００と結合され得る。さらに、本明細書で実施されるように、バルブ２８０は、Ｇチューブと流体連通しており、注入器４３０またはポンプ４５０との流体連通のために、ポート２８５を介して注入器４３０またはポンプ４５０と結合し得る。
【００６３】
図１を参照すると、本明細書で実施されるように、取外し可能なキャップ２９０は、設けられ得、コネクタアセンブリ２００の第２のプラグ端部２５６を覆うようなサイズとされ得、かつ、第２のプラグ端部２５６に近位の開いたプラグナブ２６３の流体管腔の開口を閉じ得る。キャップ２９０は、自由キャップ、すなわち、コネクタアセンブリ２００とは独立するものとすることができる。代替的には、いくつかの実施形態では、キャップ２９０が、コネクタアセンブリ２００、たとえばシェル２１０またはプラグ２５０に繋げられることができる。
【００６４】
さらに、開示の主題によれば、デバイスコネクタは、本明細書に開示のコネクタアセンブリと結合するように設けられている。デバイスコネクタは、搬送デバイスまたは流体源と結合し得る。限定ではなく説明の目的のために、任意の数の適切なデバイスコネクタの構成が、経皮配管１１０を、任意の適切な流体搬送デバイス、たとえば限定ではないが、図１に示すように、注入器４３０および／またはポンプ４５０に結合するのに使用され得る。図１３Ａから図１４は、例示的デバイスコネクタ４００を示している。本明細書で実施されるように、デバイスコネクタ４００は概して、第１の端部４１４および第２の端部４１６を有する側壁４１２、レバー４７０、ならびにプラグ４９０を含み得る。
【００６５】
デバイスコネクタ４００は、その内側を形成する側壁４１２、および、（たとえば図１に示すように）搬送デバイスから延び、搬送デバイスと流体連通する配管４１０の端部を受領するようなサイズであるアパーチャを内部に有する第１の端部４１４を含み得る。配管４１０は同様に、デバイスコネクタ４００の内側と流体連通するように配置されている。デバイスコネクタ４００は、シールするように係合して、コネクタアセンブリ２００の第２のプラグ端部２５６またはコネクタアセンブリ６００の第２のプラグ端部６５６を受領するようなサイズであるとともに、受領するように構成されている、内部にアパーチャを有する第２の端部４１６を有し得る。さらに、本明細書で実施されるように、側壁４１２は、側壁４１２に複数のスロット４６８を形成する複数の隆起部４６６を含み得る。隆起部４６６およびスロット４６８により、成形性が向上した構造を提供することができるとともに、グリップ性を向上させるために、デバイスコネクタ４００に凹凸表面を設けることができる。デバイスコネクタ４００および／またはコネクタアセンブリ２００もしくは６００には、デバイスコネクタ４００をコネクタアセンブリ２００に結合するための、取外し可能な接続特徴部が設けられ得る。本明細書で実施されるように、レバー４７０などの様々なクイックコネクタが使用され得る。レバー４７０は、側壁４１２のアパーチャ４７４に受領されるレバー凸部４７２により、側壁４１２にヒンジで結合され得る。レバー４７０は、本明細書に記載のように、それぞれ第２のプラグ端部２５６または６５６などの、コネクタアセンブリ２００または６００の結合部分に係合する固定用延長部４７６をも含み得る。したがって、レバー４７０は、デバイスコネクタ４００のコネクタアセンブリ２００または６００への取外し可能な係合を提供し得る。
【００６６】
たとえば図１４に示すように、デバイスコネクタ４００はさらに、デバイスコネクタ４００の内側の傾斜表面４６９に沿って配置されたバイアスプレート４８８を含み得る。バイアスプレート４８８は、固定用延長部４７６を固定位置に付勢するように、レバー４７０のスロット４７８内に配置され得る。バイアスプレート４８８は、その１つまたは複数の端部に１つまたは複数のノッチ４８９を含み得る。このノッチ４８９は、たとえばバイアスプレート４８８を固定用延長部４７６および／または自由端部４７３と整列させるために、レバー４７０の対応する凸部を受領するようなサイズにするとともに、受領するように構成することができる。たとえば、本明細書で実施されるように、図１３Ｅに示すように、固定位置において、固定用延長部４７６は、デバイスコネクタ４００の第２の端部４１６のアパーチャと整列するように付勢され得る。この構成では、コネクタアセンブリ２００の第２のプラグ端部２５６がデバイスコネクタ４００の第２の端部４１６のアパーチャ内に挿入される際に、たとえば図１５に示すように、レバーの固定用延長部４７６が、第２のプラグ端部２５６の円錐台形部分２６９に沿って来るとともに、第２のプラグ端部の溝２６８内に挿入され得る。この方式で、本明細書で実施されるように、固定用延長部４７６は、デバイスコネクタ４００を軸方向に、デバイスコネクタ４００および配管４１０の内側と流体連通するための経皮配管１１０を有するコネクタアセンブリ２００と結合し得る。さらに、本明細書で実施されるように、固定用延長部４７６は、溝２６８の周囲に沿って自在にスライド可能であり、したがって、デバイスコネクタ４００は、軸方向の係合を維持しつつ、コネクタアセンブリ２００に対して回転することができる。
【００６７】
そのように、本明細書で実施されるように、コネクタアセンブリ２００により、経皮配管１１０とデバイスコネクタ４００との間の、しっかりとしたシールされた接続が提供され得、経皮配管１１０の不慮の接続解除および変位を妨げるか防止する。さらに、この接続は、ねじることによる接続を必要としない。むしろ、たとえば本明細書で実施されるように、直線的な押込みばめが利用できる。接続されると、搬送デバイスは、治療薬の患者への搬送のために、コネクタアセンブリ２００、ひいては経皮配管１１０に結合される。
【００６８】
図１４を参照すると、レバー４７０は、固定用延長部４７６とは反対側の自由端部４７３を有し得る。デバイスコネクタ４００をコネクタアセンブリ２００から接続解除するために、バイアスプレート４８８のバイアス力に打ち勝ち、固定用延長部４７６をデバイスコネクタ４００の第２の端部４１６のアパーチャとの整列から離し、ひいては第２のプラグ端部２５６の溝２６８から離れるように動かすように、自由端部４７３を少なくとも部分的に側壁４１２内に付勢するように圧力を加えることができる。この構成では、コネクタアセンブリ２００は、デバイスコネクタ４００から自在に外すことができる。
【００６９】
さらに、図１４を参照すると、デバイスコネクタ４００のカバー４９０は、コネクタアセンブリ２００が接続されていない場合、第２の端部４１６のアパーチャを覆うのに使用することができる。カバー４９０は、カバー４９０のグリップを容易にするために、グリップ部分４９２を含み得る。カバー４９０は、本明細書に記載のように、コネクタアセンブリ２００の第２のプラグ端部２５６と略同様に構成することができるカバー端部４９４を含み得る。
【００７０】
別の態様によれば、開示の主題は、経皮配管を含む配管アセンブリのためのバンパを含んでいる。バンパは、経皮配管の軸方向の移動を防止するか妨げるように構成されている。バンパは、経皮配管を受領するようなサイズの、内部を通して形成されたアパーチャを有するベースと、第１のバンパベース部分および第２のバンパベース部分であって、第１のバンパベース部分および第２のバンパベース部分の各々がアパーチャの一部分を形成するノッチを有する、第１のバンパベース部分および第２のバンパベース部分と、第１のバンパベース部分と第２のバンパベース部分とをともに接続するためのコネクタと、を含んでいる。バンパは、本明細書に記載の特徴のいずれかまたはすべてを含み得る。
【００７１】
配管システム１００のための例示的バンパ３００が、図９Ａから図１０に示されている。本明細書にさらに説明するように、バンパ３００は、経皮配管１１０の軸方向の移動を妨げるか防止するために、経皮配管１１０周りに配置されるように構成され得る。図９Ａから図９Ｃを参照すると、バンパ３００は、内部を通して形成されたアパーチャ３１２を有するベース３０２を含み得る。複数の隆起部３０４は、ベース３０２の底面に形成することができる。ベース３０２は、略平坦とすることができるとともに、弓状外周３０６、または他の適切な形状を含み得る。
【００７２】
特定の実施形態では、ベース３０２は単一片の部材とすることができ、それにより、経皮配管１１０はアパーチャに通されるようになっている。代替的には、複数片の構成を提供することができる。たとえば図１０を参照すると、本明細書で実施されるように、バンパ３００は、第１のバンパベース部分３１０および第２のバンパベース部分３２０を含み得る。図１０に示すように、第１のバンパベース部分３１０は概して、第２のバンパベース部分３２０を忠実に反映することができる。第１のバンパベース部分と第２のバンパベース部分との各々は、アパーチャの一部分を形成するノッチ３１１を有し得る。第１のバンパベース部分３１０と第２のバンパベース部分３２０とは、たとえば本明細書で実施されるように、バンパベース部分３１０と３２０の一方から延びる凸部３２４が、バンパベース部分３１０と３２０の他方内に形成されたレセプタクル３１４内に挿入された状態で、ともに接続することができる。追加的または代替的に、第１のバンパベース部分３１０は、第２のバンパベース部分３２０内に形成されたレセプタクル内に挿入される凸部３１６を含み得る。
【００７３】
さらに、本明細書で実施されるように、第１のバンパベース部分３１０および第２のバンパベース部分３２０は各々が、第１のバンパベース部分３１０と第２のバンパベース部分３２０との各々のノッチ３１１の近位に位置する支持壁３１８、３２８を含み得る。図１０を参照すると、フード３４０は、たとえば本明細書で実施されるように、支持壁３１８、３２８の各々から延びるリング凸部３１３ａ、３２３ａおよび、フード３４０から延びる対応するリング凸部３１３ｂ、３２３ｂを通して挿入されるピン３４２により、第１のバンパベース部分３１０と第２のバンパベース部分３２０の各々の支持壁３１８、３２８にヒンジで接続され得る。
【００７４】
図９Ａから図１０を参照すると、本明細書で実施されるように、支持壁３１８、３２８の各々は、アパーチャ３１２から延びるＵ状チャネル３１５の一部分を形成し、第１のバンパベース部分３１０と第２のバンパベース部分３２０とがともに接続されている場合に経皮配管１１０を受領するようなサイズになっている、湾曲した壁面３１９、３２９を有し得る。チャネル３１５は、アパーチャ３１２の近位の平坦面に対して略垂直な向きに並べられ得、次いで、略垂直な向きに対するある角度で並べられるように湾曲する。たとえば、チャネル３１５は、アパーチャ３１２からある距離で平坦面３０２に対して略平行に並べられるように、支持壁３１８、３２８の各々に沿って延び得る。この方式で、チャネル３１５は、瘻孔に略垂直な向きから、内部に経皮配管１１０を維持し得、これにより、瘻孔を囲む肌との接触を低減するとともに、瘻孔の治療を容易にし、次いで、経皮配管１１０を、より低いプロファイルのためなど、アパーチャ３１２からある距離において錯角に向けてガイドすることができる。さらに、本明細書で実施されるように、患者は、瘻孔に対する経皮配管１１０の向きを変更することなく、アパーチャ３１２に対する経皮配管１１０の径方向の向きを変更することができる。この方式で、本明細書で実施されるように、バンパ３００により、患者が、患者の腹腔の水平面内など、アパーチャ３１２からの任意の径方向の向きに経皮配管１１０を向けることが可能になる。したがって、本明細書で実施されるように、バンパ３００は、バンパ３００から出る経皮配管１１０の一部を略平坦なプロファイルに維持することができ、これにより、目立ちにくく、患者にはより快適になり得る。本明細書に開示のバンパ３００により、経皮配管１１０は、たとえば、患者が身につけるか使用する衣類またはアクセサリのための場所をあけるために、任意の径方向の向きに向けることができる。
【００７５】
さらに、本明細書で実施されるように、フード３４０は、経皮配管１１０の一部分を受領するようなサイズになっているＵ状表面３４４を有し得る。ここで図１１から図１２を参照すると、本明細書で実施されるように、チャネル３１５に沿って延びる経皮配管により、フード３４０は、図１１に示すような、バンパが経皮配管に対して自在に移動可能である開位置と、図１２に示すような、バンパ３００が経皮配管１１０に対して固定されている閉位置との間で移動可能とすることができる。この閉位置では、フード３４０のＵ状表面３４４は、支持壁３１８、３２８の少なくとも一部分に重なり得、それにより、フード３４０がチャネル３１５内の経皮配管１１０の一部分を囲むことができ、こうして、アパーチャ３１２から延びる経皮配管１１０を所望の角度、たとえば、ベース３０２の平坦面の近位で、この平坦面に略平行な位置に案内する。
【００７６】
限定ではないが、射出成型、ミリングなどを含む、任意の適切な制作技術が、配管アセンブリおよび関連する構成要素のいずれかを形成するのに使用され得る。配管アセンブリおよび関連する構成要素は、たとえば限定ではないが、熱可塑性樹脂、熱硬化性樹脂、エラストマ、および合成繊維などの弾性ポリマを含む任意の適切な材料で形成され得る。バンパは、たとえば限定ではないが、射出成型樹脂（たとえば、ＭＡＢＳ）を含み得、また、熱可塑性エラストマ（ＴＰＥ）のオーバーモールドを含み得る。
【００７７】
さらに、本明細書で実施されるように、バンパ３００は、患者の体の内部に経皮配管１１０に沿って配置され、したがって、バンパ３００からの瘻孔と対向する側に配置されたクッション３３０を含み得る。そのように、クッション３３０により、体内に経皮配管１１０の一部分を保持するための可撓性アンカを提供することができる。クッション３３０は、たとえば高分子材料などの、バンパ３００に比べて柔らかく可撓性の材料で形成することができるとともに、シリコンのオーバーモールドを有することができる。
【００７８】
図１８Ａから図１９Ｂを参照すると、例示的バンパ７００の代替的実施形態が示されている。本明細書に説明するように、バンパ７００は、経皮配管１１０の軸方向の移動を妨げるか防止するために、経皮配管１１０周りに配置されるように構成され得る。図１８Ａから図１８Ｃを参照すると、バンパ７００は、内部を通して形成されたアパーチャ７１２を有するベース７０２を含み得る。複数の隆起部７０４は、ベース７０２の底面に形成することができる。ベース７０２は、略平坦とすることができるとともに、弓状外周７０６、または他の適切な形状を含み得る。隆起部７０４は、ベース７０２と瘻孔との間にギャップを提供することができ、これにより、瘻孔への空気の流れを改善することができ、それにより、治療を改善し、かつ／または、瘻孔周りの肌の感染を低減するか防止する。本明細書で実施されるように、隆起部７０４は、丸くなっているか弓状形状の外側表面を有し得、これにより、バンパ７００が瘻孔周りの肌に係合する際の快適性を向上させることができる。さらに、隆起部７０４により、本明細書に記載するように、たとえばフード７４０が開かれているか閉じられている場合に、瘻孔に対するバンパ７００の望ましくない移動を防止するか妨げるために、静止摩擦が増加した表面を提供することができる。
【００７９】
特定の実施形態では、ベースは、単一片の部材とすることができ、それにより、経皮配管１１０はアパーチャに通されるようになっている。代替的には、複数片の構成を提供することができる。図１９Ａおよび図１９Ｂを参照すると、本明細書で実施されるように、ベース７０２は、ベース部分７１０と、このベース部分７１０を収容するための基板部分７５０とを含み得る。たとえば図１９Ａおよび図１９Ｂに示すように、基板部分７５０は、内部に形成され、ベース部分７１０を受領するようなサイズになっている凹部７５４を有し得る。基板部分７５０は、基板部分７５０内に受領されるベース部分７１０のアパーチャ７１２とチャネル７１５とにそれぞれ合うように配置されたアパーチャ７５２とチャネル７５５とを有し得る。さらに本明細書で実施されるように、基板部分７５０は、ベース部分７１０を基板部分７５０内に固定するために、ベース部分７１０の対応するスロット７２２内に受領されるようなサイズになっている鍵状凸部７５８を含み得る。
【００８０】
さらに、本明細書で実施されるように、ベース部分７１０は、アパーチャ７１２の近位に位置する支持壁７１８を含み得る。図１９Ａおよび図１９Ｂを参照すると、フード７４０は、支持壁７１８によって形成され得るトラック７２０内で、ベース７０２にスライド可能に結合され得る。たとえば、本明細書で実施されるように、フード７４０の両側のレール７６４は、支持壁７１８の両側に形成され得るトラック７２０に挿入され、トラック７２０内をスライドすることができる。支持壁７１８は、本明細書に説明するように、フード７４０の１つまたは複数の被係合部分７４３と係合して、閉位置へのフード７４０の横方向の移動を制限することができる、１つまたは複数の横方向の凸部７２４を含み得る。さらに、本明細書で実施されるように、横方向の凸部７２４に近位のトラック７２０の各々に沿って配置されたトラックの凸部７２９は、フード７４０を閉位置に固定するために、レール７６４の各々に沿って凸部７６０と凸部７６３との間に形成された、レール凹部７６２内に受領されるサイズとすることができる。フード７４０は、たとえば、トラックの凸部７２９をレール７６４の凹部７６２との係合から離れるように付勢するように、フード７４０を横方向の凸部７２４から離れるように付勢することにより、開位置に向かって移動することができる。凸部７６０は、トラック７２０内に配置されたレール７６４を保持するために、開位置に向かう方向へのフード７４０の横方向の移動を制限するように、対応するトラックの凸部７２８に当接することができる。この方式で、フード７４０は、たとえば、ベース部材７１０からフード７４０が不注意に外れることを防止するか妨げるために、ベース部材７１０と係合した状態が保持されるように構成され得る。
【００８１】
図１８Ａから図１９Ｂを参照すると、本明細書で実施されるように、支持壁７１８の両側は各々、アパーチャ７１２から延びるＵ状チャネル７１５の一部分を形成し、経皮配管１１０を受領するようなサイズになっている、輪郭を持った凹部７１９を有し得る。輪郭を持った凹部７１９は、アパーチャ７１２の近位の平坦面に対して略垂直な向きに並べられ得、次いで、略垂直な向きに対するある角度で並べられるように湾曲する。たとえば、輪郭を持った凹部７１９は、アパーチャ７１２からある距離で平坦面７０２に対して略平行に並べられるように、支持壁７１８に沿って延び得る。この方式で、輪郭を持った凹部７１９は、瘻孔に略垂直な向きから、内部に経皮配管１１０を維持し得、これにより、瘻孔を囲む肌との接触を低減するとともに、瘻孔の治療を促進し、次いで、経皮配管１１０を、より低いプロファイルのためなど、アパーチャ７１２からある距離において錯角に向けてガイドすることができる。さらに、本明細書で実施されるように、患者は、瘻孔に対する経皮配管１１０の向きを変更することなく、アパーチャ７１２に対する経皮配管１１０の径方向の向きを変更することができる。この方式で、本明細書で実施されるように、バンパ７００により、患者が、患者の腹腔の水平面内など、アパーチャ７１２からの任意の径方向の向きに経皮配管１１０を向けることが可能になる。したがって、本明細書で実施されるように、バンパ３００は、バンパ７００から出る経皮配管１１０の一部を略平坦なプロファイルに維持することができ、これにより、目立ちにくく、患者にはより快適になり得る。本明細書に開示のバンパ７００により、経皮配管１１０は、たとえば、患者が身につけるか使用する衣類またはアクセサリのための場所をあけるために、任意の径方向の向きに向けることができる。
【００８２】
さらに、本明細書で実施されるように、フード７４０は、経皮配管１１０の一部分を受領するようなサイズになっているＵ状表面７４４を有し得る。ここで図２０および図２１を参照すると、本明細書で実施されるように、チャネル７１５に沿って延びる経皮配管により、フード７４０は、図２０に示すような、バンパが経皮配管に対して自在に移動可能である開位置と、図２１に示すような、バンパ７００が経皮配管１１０に対して固定されている閉位置との間でスライド可能とすることができる。そのように、開位置において、バンパ７００は経皮配管１１０周りに自在に回転し、経皮配管１１０に沿って移動することが可能であり、これにより、経皮配管１１０をバンパ７００から、平坦面７０２に沿う任意の方向に向けることが可能になり得る。閉位置では、フード７４０のＵ状表面７４４は、支持壁７１８の少なくとも一部分に重なり得、それにより、フード７４０がチャネル７１５内の経皮配管１１０の一部分を囲むことができ、こうして、アパーチャ７１２から延びる経皮配管１１０を所望の角度、たとえば、ベース７０２の平坦面の近位で、この平坦面に略平行な位置に案内する。この方式で、閉位置において、経皮配管１１０は、元の位置にある場合の瘻孔から経皮配管１１０が出る方向に対して約９０°の角度に配置することができる。
【００８３】
限定ではないが、射出成型、ミリングなどを含む、任意の適切な制作技術が、配管アセンブリおよび関連する構成要素のいずれかを形成するのに使用され得る。配管アセンブリおよび関連する構成要素は、たとえば限定ではないが、熱可塑性樹脂、熱硬化性樹脂、エラストマ、および合成繊維などの弾性ポリマを含む任意の適切な材料で形成され得る。バンパは、たとえば限定ではないが、射出成型樹脂（たとえば、ＭＡＢＳ）を含み得、また、ＴＰＥのオーバーモールドを含み得る。
【００８４】
さらに、本明細書で実施されるように、バンパ７００は、患者の体の内部に経皮配管１１０に沿って配置され、したがって、バンパ７００からの瘻孔に対向する側に配置されたクッション７３０を含み得る。そのように、クッション７３０により、体内に経皮配管１１０の一部分を保持するための可撓性アンカを提供することができる。クッション７３０は、たとえば高分子材料などの、バンパ７００に比べて柔らかく可撓性の材料で形成することができるとともに、シリコンのオーバーモールドを有することができる。
【００８５】
別の態様によれば、開示の主題は、本明細書に記載の配管システムと他の配管システムまたはデバイスとの間の接続性を提供するための様々なアダプタを含んでいる。限定ではなく説明のために、任意の数の適切なアダプタ構成が、本明細書に記載の雄コネクタおよび／または雌コネクタを、任意の他の配管システムまたはデバイスに結合するのに使用され得る。たとえば限定ではないが、本明細書に記載のアダプタは、本明細書に記載の配管システムと、当該技術分野において、商業的に利用可能であるか、別様に既知であるか使用される他の配管システムまたはデバイスとの間の接続性を提供することが可能である。
【００８６】
限定ではなく説明の目的のために、図２２Ａから２２Ｆは、例示的雄アダプタ１０００を示している。本明細書で実施されるように、アダプタ１０００は概して、第１の端部におけるコネクタフィッティング１００２と、第２の端部における第２のプラグ端部６５６とを含み得る。たとえば、本明細書で実施されるように、アダプタ１０００の第２のプラグ端部６５６は、本明細書に記載の特徴の、雄コネクタアセンブリ６００の第２のプラグ端部６５６との任意の組合せを有し得る。追加的または代替的に、アダプタ１０００の第２のプラグ端部は、雄コネクタアセンブリ２００の第２のプラグ端部２５６の特徴の任意の組合せを有するように構成され得る。
【００８７】
たとえば、図１６Ａから図１６Ｃに示すように、第２のプラグ端部６５６は、アダプタ１０００を流体源に結合するために、デバイスコネクタ４００と結合するコネクタを形成し得る。第２のプラグ端部６５６は、間に溝６６８を形成するリング部分６６７と円錐台形部分６６９とを含み得る。したがって、溝６６８は、本明細書にさらに説明するように、デバイスコネクタ４００とアダプタ１０００との間の係合を容易にし得る。さらに、図１７Ａから図１７Ｃを参照すると、開いたプラグナブ６６３は、間に第２の溝６６１を形成するように、円錐台形部分６６９から延びることができる。第２の溝６６１は、プラグ６５０とデバイスコネクタ４００との間をシールするように、ガスケット６７３を受領するようなサイズとすることができる。
【００８８】
さらに、本明細書で実施されるように、アダプタ１０００は、配管システムをデバイスコネクタ４００に結合するための任意の適切なコネクタフィッティングとして構成されたコネクタフィッティング１００２を含み得る。たとえば限定ではないが、図２２Ａから図２２Ｆに示すように、コネクタフィッティング１００２は、従来の雄ＥＮＦｉｔコネクタを有する配管システムに結合するための従来の雌ＥＮＦｉｔコネクタとして構成することができる。この方式で、限定ではなく説明の目的で、アダプタ１０００を、従来の雄ＥＮＦｉｔコネクタを有する配管システムを、たとえば図１に示すような、デバイスコネクタ４００を有する注入器４３０またはポンプデバイス４５０などの流体源に結合するために使用することができる。
【００８９】
さらに、本明細書で実施されるように、アダプタ１０００は、コネクタフィッティング１００２と第２のプラグ端部６５６との間に配置された外周フランジ１００４を含み得る。外周フランジ１００４は、アダプタ１０００の外周の残りの部分から延び得るとともに、各端部においてコネクタに結合するために、外周フランジ１００４のグリップを容易にする任意の適切な形状を有し得る。たとえば、本明細書で実施されるように、外周フランジ１００４は、端面視においてクローバ形状とすることができ、したがって、外周フランジ１００４のグリップを容易にするための刻み目を含み得る。代替的には、外周フランジ１００４は、リング状、三角形形状、箱状、または任意の他の適切な形状とすることができる。
【００９０】
限定ではなく説明の目的のために、図２３Ａから図２３Ｆは、別の例示的雄アダプタ１１００を示している。本明細書で実施されるように、アダプタ１１００は概して、第１の端部におけるコネクタフィッティング１１０２と、第２の端部における第２のプラグ端部６５６とを含み得る。たとえば、本明細書で実施されるように、アダプタ１１００の第２のプラグ端部６５６は、雄コネクタアセンブリ６００の第２のプラグ端部６５６に関して本明細書に記載の特徴の、任意の組合せを有し得る。追加的または代替的に、アダプタ１１００の第２のプラグ端部は、雄コネクタアセンブリ２００の第２のプラグ端部２５６の特徴の任意の組合せを有するように構成され得る。
【００９１】
たとえば、図１６Ａから図１６Ｃに示すように、第２のプラグ端部６５６は、アダプタ１１００を流体源に結合するために、デバイスコネクタ４００と結合するコネクタを形成し得る。第２のプラグ端部６５６は、間に溝６６８を形成するリング部分６６７と円錐台形部分６６９とを含み得る。したがって、溝６６８は、本明細書にさらに説明するように、デバイスコネクタ４００とアダプタ１１００との間の係合を容易にし得る。さらに、図１７Ａから図１７Ｃを参照すると、開いたプラグナブ６６３は、間に第２の溝６６１を形成するように、円錐台形部分６６９から延びることができる。第２の溝６６１は、プラグ６５０とデバイスコネクタ４００との間をシールするように、ガスケット６７３を受領するようなサイズとすることができる。
【００９２】
さらに、本明細書で実施されるように、アダプタ１１００は、配管システムをデバイスコネクタ４００に結合するための任意の適切なコネクタフィッティングとして構成されたコネクタフィッティング１１０２を含み得る。たとえば限定ではないが、図２３Ａから図２３Ｆに示すように、コネクタフィッティング１１０２は、従来の雄逆ルアーコネクタに結合するための従来の雌逆ルアー（たとえば、ＩＳＯ５９４）コネクタとして構成することができる。この方式で、限定ではなく説明の目的のために、アダプタ１１００を、従来の雄逆ルアーコネクタを有する配管システムを、たとえば図１に示すような、デバイスコネクタ４００を有する注入器４３０またはポンプデバイス４５０などの流体源に結合するために使用することができる。
【００９３】
さらに、本明細書で実施されるように、アダプタ１１００は、コネクタフィッティング１１０２と第２のプラグ端部６５６との間に配置された外周フランジ１１０４を含み得る。外周フランジ１１０４は、アダプタ１１００の外周の残りの部分から延び得るとともに、各端部においてコネクタに結合するために、外周フランジ１１０４のグリップを容易にする任意の適切な形状を有し得る。たとえば、本明細書で実施されるように、外周フランジ１１０４は、クローバ形状とすることができ、したがって、外周フランジ１１０４のグリップを容易にするための刻み目を含み得る。代替的には、外周フランジ１１０４は、リング状、三角形形状、箱状、または任意の他の適切な形状とすることができる。
【００９４】
追加的または代替的に、限定ではなく説明の目的のために、アダプタ１０００および１１００は、配管システムをデバイスコネクタ４００に結合するための、任意の適切な標準または非標準的なコネクタフィッティング１００２または１１０２を伴って構成され得る。たとえば限定ではないが、コネクタフィッティング１００２または１１０２は、配管システムをデバイスコネクタ４００に結合するための、任意のＩＳＯ基準の経腸コネクタ（たとえば、ＩＳＯ８０３６９−３コネクタ）、ＥＮＦｉｔコネクタ、またはルアーコネクタと本明細書では呼ばれる、標準的なコネクタとして構成され得る。代替的には、コネクタフィッティング１００２または１１０２は、配管システムをデバイスコネクタ４００に結合するのに適切な、任意の非ＩＳＯ基準の経腸コネクタまたは上に列挙された他の標準的なコネクタとは異なるコネクタと本明細書では呼ばれる、非標準的なコネクタとして構成され得る。
【００９５】
限定ではなく説明の目的のために、図２４Ａから図２４Ｈは、別の例示的雌アダプタ１２００を示している。本明細書で実施されるように、アダプタ１２００は概して、コネクタフィッティング１２０２が第１の端部４１４から延びるデバイスコネクタ４００を含み得る。たとえば、本明細書で実施されるように、デバイスコネクタ４００は、本明細書に記載の特徴の任意の組合せを有し得る。
【００９６】
たとえば、図１３Ａから図１５に示すように、デバイスコネクタ４００は、内側を形成する側壁４１２および第１の端部４１４を含み得る。デバイスコネクタ４００は、シールするように係合して、コネクタアセンブリ２００の第２のプラグ端部２５６またはコネクタアセンブリ６００の第２のプラグ端部６５６を受領するようなサイズであるとともに、受領するように構成されている、内部にアパーチャを有する第２の端部４１６を有し得る。デバイスコネクタ４００および／またはコネクタアセンブリ２００もしくは６００には、デバイスコネクタ４００をコネクタアセンブリ２００または６００に結合するための、取外し可能な接続特徴部が設けられ得る。本明細書で実施されるように、レバー４７０などの様々なクイックコネクタが使用され得る。レバー４７０は、側壁４１２のアパーチャ４７４に受領されるレバー凸部４７２により、側壁４１２にヒンジで結合され得る。レバー４７０は、本明細書に記載のように、それぞれ第２のプラグ端部２５６または６５６などの、コネクタアセンブリ２００または６００の結合部分に係合する固定用延長部４７６をも含み得る。したがって、レバー４７０は、デバイスコネクタ４００のコネクタアセンブリ２００または６００への取外し可能な係合を提供し得る。
【００９７】
たとえば図１４に示すように、デバイスコネクタ４００はさらに、デバイスコネクタ４００の内側の傾斜表面４６９に沿って配置されたバイアスプレート４８８を含み得る。バイアスプレート４８８は、固定用延長部４７６を固定位置に付勢するように、レバー４７０のスロット４７８内に配置され得る。バイアスプレート４８８は、その１つまたは複数の端部に１つまたは複数のノッチ４８９を含み得る。このノッチ４８９は、たとえばバイアスプレート４８８を固定用延長部４７６および／または自由端部４７３と整列させるために、レバー４７０の対応する凸部を受領するようなサイズにするとともに、受領するように構成することができる。たとえば、本明細書で実施されるように、図１３Ｅに示すように、固定位置において、固定用延長部４７６は、デバイスコネクタ４００の第２の端部４１６のアパーチャと整列するように付勢され得る。この構成では、コネクタアセンブリ２００の第２のプラグ端部２５６またはコネクタアセンブリ６００の第２のプラグ端部６５６がデバイスコネクタ４００の第２の端部４１６のアパーチャ内に挿入される際に、たとえば図１５に示すように、レバーの固定用延長部４７６が、第２のプラグ端部２５６の円錐台形部分２６９または第２のプラグ端部６５６の円錐台形部分６６９に沿って来るとともに、第２のプラグ端部の溝２６８または６６８内に挿入され得る。この方式で、本明細書で実施されるように、固定用延長部４７６は、デバイスコネクタ４００を軸方向に、デバイスコネクタ４００および配管４１０の内側と流体連通するための経皮配管１１０を有するコネクタアセンブリ２００または６００と結合し得る。さらに、本明細書で実施されるように、固定用延長部４７６は、溝２６８または６６８の周囲に沿って自在にスライド可能であり、したがって、デバイスコネクタ４００は、軸方向の係合を維持しつつ、コネクタアセンブリ２００または６００に対して回転することができる。
【００９８】
図１４を参照すると、レバー４７０は、固定用延長部４７６とは反対側の自由端部４７３を有し得る。デバイスコネクタ４００をコネクタアセンブリ２００から接続解除するために、バイアスプレート４８８のバイアス力に打ち勝ち、固定用延長部４７６をデバイスコネクタ４００の第２の端部４１６のアパーチャとの整列から離し、ひいては第２のプラグ端部２５６の溝２６８または第２のプラグ端部６５６の溝６６８から離れるように動かすように、自由端部４７３を少なくとも部分的に側壁４１２内に付勢するように圧力を加えることができる。この構成では、コネクタアセンブリ２００は、デバイスコネクタ４００から自在に外すことができる。
【００９９】
さらに、本明細書で実施されるように、アダプタ１２００は、デバイスコネクタ４００の第１の端部４１４から延びるとともに、配管システムまたはデバイスを雄コネクタアセンブリ２００または６００に結合するための任意の適切なコネクタフィッティングとして構成されたコネクタフィッティング１２０２を含み得る。たとえば限定ではないが、図２４Ａから２４Ｈに示すように、アダプタ１２００は、従来の雄逆ルアーコネクタに結合するための従来の雌逆ルアー（たとえば、ＩＳＯ５９４）コネクタとして構成されたコネクタフィッティング１２０２を含み得る。この方式で、限定ではなく説明の目的のために、アダプタ１２００は、従来の雄逆ルアーコネクタを有する（たとえば図１に示すような）注入器４３０などの流体源を、雄コネクタアセンブリ２００または６００に結合するのに使用され得る。雄コネクタアセンブリ２００または６００は、たとえば図５から図８に示すように、雄コネクタアセンブリ２００または６００に結合された内側Ｊチューブ１１４を洗浄するのにたとえば使用され得る。追加的または代替的に、本明細書で実施されるように、アダプタ１２００は、従来の雄逆ルアーコネクタを有する（たとえば図１に示すような）注入器４３０またはポンプデバイス４５０などの任意の適切なデバイスを、結合された配管アセンブリ１１０とともに使用するための雄コネクタアセンブリ２００または６００に結合するのに使用され得る。
【０１００】
追加的または代替的に、限定ではなく説明の目的のために、アダプタ１２００は、配管システムまたはデバイスを、雄コネクタアセンブリ２００または６００、およびそれに結合された配管システム１１０に結合するための、任意の適切な標準的または非標準的なコネクタフィッティング１２０２を伴って構成され得る。たとえば限定ではないが、コネクタフィッティング１２０２は、配管システムまたはデバイスを雄コネクタアセンブリ２００または６００、およびそれに結合された配管システム１１０に結合するための、ＩＳＯ基準の経腸コネクタ（たとえば、ＩＳＯ８０３６９−３コネクタ）、ＥＮＦｉｔコネクタ、ルアーコネクタ、または任意の他の標準化されたコネクタとして構成され得る。代替的には、コネクタフィッティング１２０２は、配管システムを雄コネクタアセンブリ２００または６００、およびそれに結合された配管システム１１０に結合するのに適切な、任意の非ＩＳＯ基準の経腸コネクタまたは上に列挙された他の標準的なコネクタと本明細書では呼ばれる、非標準的なコネクタとして構成され得る。
【０１０１】
限定ではなく説明の目的のために、図２５Ａから図２５Ｈは、別の例示的雄アダプタ１３００を示している。本明細書で実施されるように、アダプタ１３００は概して、コネクタフィッティング１３０２が第１の端部４１４から延びるデバイスコネクタ４００を含み得る。たとえば、本明細書で実施されるように、デバイスコネクタ４００は、本明細書に記載の特徴の任意の組合せを有し得る。
【０１０２】
たとえば、図１３Ａから図１５に示すように、デバイスコネクタ４００は、内側を形成する側壁４１２および第１の端部４１４を含み得る。デバイスコネクタ４００は、シールするように係合して、コネクタアセンブリ２００の第２のプラグ端部２５６またはコネクタアセンブリ６００の第２のプラグ端部６５６を受領するようなサイズであるとともに、受領するように構成されている、内部にアパーチャを有する第２の端部４１６を有し得る。デバイスコネクタ４００および／またはコネクタアセンブリ２００もしくは６００には、デバイスコネクタ４００をコネクタアセンブリ２００または６００に結合するための、取外し可能な接続特徴部が設けられ得る。本明細書で実施されるように、レバー４７０などの様々なクイックコネクタが使用され得る。レバー４７０は、側壁４１２のアパーチャ４７４に受領されるレバー凸部４７２により、側壁４１２にヒンジで結合され得る。レバー４７０は、本明細書に記載のように、それぞれ第２のプラグ端部２５６または６５６などの、コネクタアセンブリ２００または６００の結合部分に係合する固定用延長部４７６をも含み得る。したがって、レバー４７０は、デバイスコネクタ４００のコネクタアセンブリ２００または６００への取外し可能な係合を提供し得る。
【０１０３】
たとえば図１４に示すように、デバイスコネクタ４００はさらに、デバイスコネクタ４００の内側の傾斜表面４６９に沿って配置されたバイアスプレート４８８を含み得る。バイアスプレート４８８は、固定用延長部４７６を固定位置に付勢するように、レバー４７０のスロット４７８内に配置され得る。バイアスプレート４８８は、その１つまたは複数の端部に１つまたは複数のノッチ４８９を含み得る。このノッチ４８９は、たとえばバイアスプレート４８８を固定用延長部４７６および／または自由端部４７３と整列させるために、レバー４７０の対応する凸部を受領するようなサイズにするとともに、受領するように構成することができる。たとえば、本明細書で実施されるように、図１３Ｅに示すように、固定位置において、固定用延長部４７６は、デバイスコネクタ４００の第２の端部４１６のアパーチャと整列するように付勢され得る。この構成では、コネクタアセンブリ２００の第２のプラグ端部２５６またはコネクタアセンブリ６００の第２のプラグ端部６５６がデバイスコネクタ４００の第２の端部４１６のアパーチャ内に挿入される際に、たとえば図１５に示すように、レバーの固定用延長部４７６が、第２のプラグ端部２５６の円錐台形部分２６９または第２のプラグ端部６５６の円錐台形部分６６９に沿って来るとともに、第２のプラグ端部の溝２６８または６６８内に挿入され得る。この方式で、本明細書で実施されるように、固定用延長部４７６は、デバイスコネクタ４００を軸方向に、デバイスコネクタ４００および配管４１０の内側と流体連通するための経皮配管１１０を有するコネクタアセンブリ２００または６００と結合し得る。さらに、本明細書で実施されるように、固定用延長部４７６は、溝２６８または６６８の周囲に沿って自在にスライド可能であり、したがって、デバイスコネクタ４００は、軸方向の係合を維持しつつ、コネクタアセンブリ２００または６００に対して回転することができる。
【０１０４】
図１４を参照すると、レバー４７０は、固定用延長部４７６とは反対側の自由端部４７３を有し得る。デバイスコネクタ４００をコネクタアセンブリ２００から接続解除するために、バイアスプレート４８８のバイアス力に打ち勝ち、固定用延長部４７６をデバイスコネクタ４００の第２の端部４１６のアパーチャとの整列から離し、ひいては第２のプラグ端部２５６の溝２６８または第２のプラグ端部６５６の溝６６８から離れるように動かすように、自由端部４７３を少なくとも部分的に側壁４１２内に付勢するように圧力を加えることができる。この構成では、コネクタアセンブリ２００は、デバイスコネクタ４００から自在に外すことができる。
【０１０５】
さらに、本明細書で実施されるように、アダプタ１３００は、デバイスコネクタ４００の第１の端部４１４から延びるとともに、配管システムまたはデバイスを雄コネクタアセンブリ２００または６００に結合するための任意の適切なコネクタフィッティングとして構成されたコネクタフィッティング１３０２を含み得る。たとえば限定ではないが、図２５Ａから図２５Ｈに示すように、アダプタ１２００は、従来の雌ＥＮＦｉｔコネクタに結合するための従来の雄ＥＮＦｉｔコネクタとして構成されたコネクタフィッティング１３０２を含み得る。この方式で、限定ではなく説明の目的のために、アダプタ１３００は、従来の雌ＥＮＦｉｔコネクタを有する（たとえば図１に示すような）注入器４３０などの流体源を、雄コネクタアセンブリ２００または６００に結合するのに使用され得る。雄コネクタアセンブリ２００または６００は、たとえば図５から図８に示すように、雄コネクタアセンブリ２００または６００に結合された内側Ｊチューブ１１４を洗浄するのにたとえば使用され得る。追加的または代替的に、本明細書で実施されるように、アダプタ１３００は、従来の雌ＥＮＦｉｔコネクタを有する（たとえば図１に示すような）注入器４３０またはポンプデバイス４５０などの任意の適切なデバイスを、結合された配管アセンブリ１１０とともに使用するための雄コネクタアセンブリ２００または６００に結合するのに使用され得る。
【０１０６】
追加的または代替的に、限定ではなく説明の目的のために、アダプタ１３００は、配管システムまたはデバイスを、雄コネクタアセンブリ２００または６００、およびそれに結合された配管システム１１０に結合するための、任意の適切な標準的または非標準的なコネクタフィッティング１３０２を伴って構成され得る。たとえば限定ではないが、コネクタフィッティング１３０２は、配管システムまたはデバイスを雄コネクタアセンブリ２００または６００、およびそれに結合された配管システム１１０に結合するための、ＩＳＯ基準の経腸コネクタ（たとえば、ＩＳＯ８０３６９−３コネクタ）、ＥＮＦｉｔコネクタ、ルアーコネクタ、または任意の他の標準化されたコネクタとして構成され得る。代替的には、コネクタフィッティング１３０２は、配管システムを雄コネクタアセンブリ２００または６００、およびそれに結合された配管システム１１０に結合するのに適切な、任意の非ＩＳＯ基準の経腸コネクタまたは上に列挙された他の標準的なコネクタと本明細書では呼ばれる、非標準的なコネクタとして構成され得る。
【０１０７】
開示の主題の他の態様によれば、経皮配管のためのコネクタキットが提供される。このキットは概して、雌コネクタと雄アダプタとを含んでいる。雌コネクタは、第１の端部および第２の端部を有し、第１の端部に近位の固定用延長部を有するレバーを含んでいる。雌コネクタは、第２の端部に近位の流体源に結合するように構成されている。雄アダプタは、第１の端部および第２の端部を有し、第１の端部に近位のコネクタフィッティングであって、経皮配管システムのためのコネクタと結合するように構成された、コネクタフィッティングを含んでいる。雄アダプタは、第２の端部に近位の雄コネクタであって、流体管腔が内部を通して形成されたプラグ端部を含む、雄コネクタをも含んでいる。プラグ端部は、内部に形成された外周溝であって、固定用延長部が外周溝に受領された際に、雌コネクタが、雄コネクタに対して回転し、雄コネクタとの軸方向の係合が維持されることを可能にするように、雌コネクタの固定用延長部を受領するために、外周溝を有する。
【０１０８】
本明細書で実施されるように、キットは、本明細書に記載されるように、たとえば限定ではないが、注入器４３０および／またはポンプデバイス４５０などの流体源に結合するように構成され得る、デバイスコネクタ４００などの雌コネクタを含み得る。さらに、限定ではなく説明の目的のために、キットは、本明細書に記載されるように、デバイスコネクタ４００などの雌コネクタに結合するための、雄アダプタ１０００または１１００などの雄アダプタを含み得る。デバイスコネクタ４００と、雄アダプタ１０００または１１００とは、本明細書に記載の特徴の任意の組合せを含み得る。
【０１０９】
開示の主題の他の態様によれば、経皮配管のためのコネクタキットが提供される。経皮配管は、外側Ｇチューブおよび内側Ｊチューブを含んでいる。このキットは概して、雄コネクタと雌アダプタとを含んでいる。雄コネクタは、内側を形成する側壁、内部に形成された第１の開口を有する第１のシェル端部、および、内部に形成された第２の開口を有する第２のシェル端部を有するシェルであって、第１の開口と第２の開口との各々は、内側と連通して、この内側を通る経皮配管を受領し、シェルはさらに、被係合部分を有している、シェルと、チューブ管腔が内部を通して形成された第１の本体端部および第２の本体端部を有するコネクタ本体であって、第１の本体端部は、内部を通る内側Ｊチューブを受領するとともに、外側Ｇチューブと結合するようなサイズであるコネクタチップを有し、コネクタ本体は、シェルの被係合部分と係合する係合部分を有する、コネクタ本体と、コネクタ本体に結合されるように構成されたプラグであって、流体管腔が内部を通して形成された第１のプラグ端部および第２のプラグ端部を有し、第１のプラグ端部はそこから延びるプラグチップを有し、チップは内側Ｊチューブと結合するようなサイズになっている、プラグと、を含んでいる。雌アダプタは、第１の端部および第２の端部を有し、第１の端部に近位のコネクタフィッティングであって、流体源のためのコネクタと結合するように構成された、コネクタフィッティングを含んでいる。雌アダプタは、第２の端部に近位の雌コネクタであって、固定用延長部を有するレバーであって、この固定用延長部は、雄コネクタの雄プラグ端部に形成された溝であって、固定用延長部が溝内に受領される際に、雌コネクタが、雄コネクタに対して回転するとともに、雄コネクタとの軸方向の係合を維持することを可能にするように、雄コネクタの第２のプラグ端部に形成された溝内に受領されるようなサイズになっている、レバーを備えた、雌コネクタをも含んでいる。
【０１１０】
本明細書で実施されるように、キットは、本明細書に記載されるように、たとえば限定ではないが、経皮配管１１０に結合するように構成され得る、コネクタアセンブリ２００または６００などの雄コネクタを含み得る。さらに、限定ではなく説明の目的のために、キットは、本明細書に記載されるように、コネクタアセンブリ２００または６００などの雄コネクタに結合するための、雌アダプタ１２００などの雌アダプタを含み得る。コネクタアセンブリ２００または６００、および雌アダプタ１２００は、本明細書に記載の特徴の任意の組合せを含み得る。
【０１１１】
代替的には、本明細書で実施されるように、キットは、本明細書に記載されるように、たとえば限定ではないが、経皮配管１１０に結合するように構成され得る、コネクタアセンブリ２００または６００などの雄コネクタを含み得る。さらに、限定ではなく説明の目的のために、キットは、本明細書に記載されるように、コネクタアセンブリ２００または６００などの雄コネクタに結合するための、雄アダプタ１３００などの雄アダプタを含み得る。コネクタアセンブリ２００または６００、および雄アダプタ１３００は、本明細書に記載の特徴の任意の組合せを含み得る。
【０１１２】
開示の主題のコネクタアセンブリ、配管システム、アダプタ、およびコネクタキットは、対応する体積または服薬量の、任意の様々な適切な液体物質の搬送のために使用され得る。
【０１１３】
開示の主題が本明細書において、特定の好ましい実施形態に関して記載されたが、当業者には、様々な変更および改善を開示の主題に対して、開示の主題の範囲を逸脱することなく行うことが可能であることを理解されたい。さらに、開示の主題の一実施形態の個別の特徴が、本明細書において説明されるか、一実施形態の図に示され得、他の実施形態になくても、一実施形態の個別の特徴は、別の実施形態の１つまたは複数の特徴、または複数の実施形態の複数の特徴と合わせることができることが明らかであろう。
【０１１４】
添付の特許請求の範囲に請求される特定の実施形態に加え、開示の主題は、添付の特許請求の範囲に請求される従属的特徴、および上述の従属的特徴の任意の他の可能性のある組合せを有する他の実施形態をも対象とする。そのように、従属請求項に提供された特定の特徴、および、上に開示の特定の特徴は、開示の主題が、任意の他の可能性のある組合せを有する他の実施形態をも特に対象とするものとして理解されるように、開示の主題の範囲内における他の方式で、相互に組み合わせることができる。したがって、開示の主題の特定の実施形態の上述の記載は、例示および説明を目的として提供されたものである。それら記載は、網羅的であるか、あるいは開示の主題を開示のこれら実施形態に限定することは意図されていない。
【０１１５】
当業者には、様々な変更および変形が、開示の主題の範囲または精神から逸脱することなく、開示の主題の方法およびシステムに行われ得ることが明らかとなる。したがって、開示の主題が、添付の特許請求の範囲およびその均等の範囲内にある変更および変形を含むことが意図されている。
【図１】
2017520332.tif 000003
【図２】
2017520332.tif 000004
【図３Ａ】
2017520332.tif 000005
【図３Ｂ】
2017520332.tif 000006
【図３Ｃ】
2017520332.tif 000007
【図３Ｄ】
2017520332.tif 000008
【図４Ａ】
2017520332.tif 000009
【図４Ｂ】
2017520332.tif 000010
【図４Ｃ】
2017520332.tif 000011
【図５】
2017520332.tif 000012
【図６】
2017520332.tif 000013
【図７】
2017520332.tif 000014
【図８】
2017520332.tif 000015
【図９Ａ】
2017520332.tif 000016
【図９Ｂ】
2017520332.tif 000017
【図９Ｃ】
2017520332.tif 000018
【図１０】
2017520332.tif 000019
【図１１】
2017520332.tif 000020
【図１２】
2017520332.tif 000021
【図１３Ａ】
2017520332.tif 000022
【図１３Ｂ】
2017520332.tif 000023
【図１３Ｃ】
2017520332.tif 000024
【図１３Ｄ】
2017520332.tif 000025
【図１３Ｅ】
2017520332.tif 000026
【図１４】
2017520332.tif 000027
【図１５】
2017520332.tif 000028
【図１６Ａ】
2017520332.tif 000029
【図１６Ｂ】
2017520332.tif 000030
【図１６Ｃ】
2017520332.tif 000031
【図１６Ｄ】
2017520332.tif 000032
【図１７Ａ】
2017520332.tif 000033
【図１７Ｂ】
2017520332.tif 000034
【図１７Ｃ】
2017520332.tif 000035
【図１８Ａ】
2017520332.tif 000036
【図１８Ｂ】
2017520332.tif 000037
【図１８Ｃ】
2017520332.tif 000038
【図１９Ａ】
2017520332.tif 000039
【図１９Ｂ】
2017520332.tif 000040
【図２０】
2017520332.tif 000041
【図２１】
2017520332.tif 000042
【図２２Ａ】
2017520332.tif 000043
【図２２Ｂ】
2017520332.tif 000044
【図２２Ｃ】
2017520332.tif 000045
【図２２Ｄ】
2017520332.tif 000046
【図２２Ｅ】
2017520332.tif 000047
【図２２Ｆ】
2017520332.tif 000048
【図２３Ａ】
2017520332.tif 000049
【図２３Ｂ】
2017520332.tif 000050
【図２３Ｃ】
2017520332.tif 000051
【図２３Ｄ】
2017520332.tif 000052
【図２３Ｅ】
2017520332.tif 000053
【図２３Ｆ】
2017520332.tif 000054
【図２４Ａ】
2017520332.tif 000055
【図２４Ｂ】
2017520332.tif 000056
【図２４Ｃ】
2017520332.tif 000057
【図２４Ｄ】
2017520332.tif 000058
【図２４Ｅ】
2017520332.tif 000059
【図２４Ｆ】
2017520332.tif 000060
【図２４Ｇ】
2017520332.tif 000061
【図２４Ｈ】
2017520332.tif 000062
【図２５Ａ】
2017520332.tif 000063
【図２５Ｂ】
2017520332.tif 000064
【図２５Ｃ】
2017520332.tif 000065
【図２５Ｄ】
2017520332.tif 000066
【図２５Ｅ】
2017520332.tif 000067
【図２５Ｆ】
2017520332.tif 000068
【図２５Ｇ】
2017520332.tif 000069
【図２５Ｈ】
2017520332.tif 000070
【国際調査報告】
2017520332.tif 000071
2017520332.tif 000072
2017520332.tif 000073